(57)【要約】  電気変圧器組立体用の支持枠であって、２つのループ状部品であって、各ループ状部品は複数のリムを有し、各リムは、周辺窪み部分を有し、周辺窪み部分内に、１次電気コイルが搭載可能であり、また、少なくとも１つの２次コイルが、１次電気コイル上にピギーバックで搭載可能であり、各ループ状部品の１つのリムは直線セクションを有する、２つのループ状部品を備える、支持枠。枠はまた、直線セクションだけが隣接し、中央レグを形成するように、ループ状部品の一方のループ状部品を他のループ状部品に対して取付け、両者間の距離を調整するための調整可能取付け手段を含み、中央レグは、取付け手段と異なる磁気コアを受取るためのものである。枠は、円形コア変圧器カーネル内に隣接巻線を効率的に固定する手段および方法を提供する。【選択図】図３６
2013511824.tif 000002
【特許請求の範囲】
【請求項１】
電気変圧器組立体用の支持枠であって、
−２つのループ状部品であって、各ループ状部品は複数のリムを有し、各リムは、周辺窪み部分を有し、前記周辺窪み部分内に、１次電気コイルが搭載可能であり、また、少なくとも１つの２次コイルが、前記１次電気コイル上にピギーバックで搭載可能であり、各ループ状部品の１つのリムは直線セクションを有する、２つのループ状部品と、
−前記ループ状部品の一方のループ状部品を、他のループ状部品に対して取付け、前記直線セクションだけが隣接し、中央レグを形成するように、両者間の距離を調整するための調整可能取付け手段とを備え、前記中央レグは、前記取付け手段と異なる磁気コアを受取るためのものである支持枠。
【請求項２】
請求項１に記載の支持枠において、前記ループ状部品は、ファイバーガラス、エポキシ、紙、厚紙、木材、および木材複合材を含む群から選択される材料で作られる支持枠。
【請求項３】
請求項１または２に記載の支持枠において、前記ループ状部品を変圧器タンクに固定するための固定手段をさらに備える支持枠。
【請求項４】
請求項３に記載の支持枠において、前記固定手段は、
−ベース枠と、
−前記ループ状部品の底部分を前記ベース枠に固着するための第１の固着手段と、
−前記ベース枠を前記変圧器タンクに固着するための第２の固着手段とを備える支持枠。
【請求項５】
請求項３に記載の支持枠において、前記固定手段は、
−ベース枠と、
−前記ループ状部品の上部分を前記ベース枠に固着するための第１の固着手段と、
−前記ベース枠を前記変圧器タンクに固着するための第２の固着手段とを備える支持枠。
【請求項６】
請求項３に記載の支持枠において、前記固定手段は、前記ベース枠に対して前記ループ状部品を整列させるための整列手段を備える支持枠。
【請求項７】
請求項３に記載の支持枠において、場所ごとに支持枠を操作し変位させるための、前記ループ状部品の上部分上に配置される操作手段をさらに備える支持枠。
【請求項８】
請求項７に記載の支持枠において、前記固定手段は、
−ベース枠と、
−前記ループ状部品の前記操作手段を前記ベース枠に固着するための第１の固着手段と、
−前記ベース枠を前記変圧器タンクに固着するための第２の固着手段とを備える支持枠。
【請求項９】
請求項１から８のいずれか１項に記載の支持枠において、前記中央レグを形成するリム以外の前記複数のリムの選択された１つのリムは、前記コイルに隣接しかつ横切って流体を伝導するためのチャネルをさらに提供し、前記チャネルはそれぞれ、前記１つのリムの一方の側に１つの入口を、前記１つのリムの他の側に１つの出口を有する支持枠。
【請求項１０】
請求項９に記載の支持枠において、前記チャネルは、前記流体内で煙突効果を生成するために水平に対してある角度を形成する支持枠。
【請求項１１】
請求項９に記載の支持枠において、前記チャネルの入力を閉囲するための第１の煙突であって、閉鎖上部および開口底部を有する、第１の煙突、および、前記チャネルの出力を閉囲するための第２の煙突であって、閉鎖底部および開口上部を有する、第２の煙突をさらに備えて、前記第１の煙突および前記第２の煙突によって、前記流体内に煙突効果を生成する支持枠。
【請求項１２】
請求項９から１１のいずれか１項に記載の支持枠において、前記チャネルは、前記ループ状部品の前記窪み部分内の横断溝によって形成される支持枠。
【請求項１３】
請求項９から１１のいずれか１項に記載の支持枠において、前記チャネルは、前記ループ状部品上に搭載されると、コイルの隣接列間に位置決めされる絶縁スペーサによって境界を定められる支持枠。
【請求項１４】
請求項１から１３のいずれか１項に記載の支持枠において、前記ループ状部品の１つのループ状部品は、前記調整可能取付け手段によって、他のループ状部品に対して位置決め可能であり、それにより、前記ループ状部品は、第１の離間距離および第２の離間距離によって選択的に分離され、前記第２の離間距離は前記第１の離間距離より大きく、支持枠は、前記中央レグを囲むマンドレルをさらに備え、前記マンドレルは、前記ループ状部品が前記第１の離間距離によって分離された状態で前記中央レグの周りに自由に回転するサイズに作られ、前記マンドレルは、前記ループ状部品が前記第２の離間距離によって分離された状態で前記中央レグの周りに回転することを阻止される支持枠。
【請求項１５】
請求項１４に記載の支持枠において、前記マンドレルは、ファイバーガラス、エポキシ、紙、厚紙、木材、および木材複合材を含む群から選択される絶縁材料で作られる支持枠。
【請求項１６】
請求項１４または１５に記載の支持枠において、前記マンドレルは、連結可能な第１および第２の半分部分を備える支持枠。
【請求項１７】
請求項１４から１６のいずれか１項に記載の支持枠において、前記マンドレルは、前記マンドレルの末端に対向するフランジをさらに備える支持枠。
【請求項１８】
請求項１から８のいずれか１項に記載の支持枠において、搭載されると、前記ループ状部品内の所定位置に前記コイルを固定するための、前記中央レグを形成するリム以外の前記リムの少なくとも１つのリムの外側表面上に搭載可能な少なくとも１つのすじかい材をさらに備える支持枠。
【請求項１９】
請求項１８に記載の支持枠において、前記少なくとも１つのすじかい材は、前記コイルに隣接して流体を伝導させるためのチャネルを提供し、前記チャネルはそれぞれ、煙突効果による循環を可能にするための入口および出口を有する前記少なくとも１つのすじかい材によって提供される支持枠。
【請求項２０】
電気変圧器組立体の支持枠のループ状部品であって、
−複数のリムであって、複数のリム上に、１次電気コイルおよび少なくとも１つの２次電気コイルが搭載可能であり、各リムは、周辺窪み部分を有し、前記周辺窪み部分内に、前記１次電気コイルが搭載可能であり、また、前記少なくとも１つの２次電気コイルが前記１次電気コイル上にピギーバックで搭載可能であり、前記ループ状部品の１つのリムは直線セクションを有する、複数のリムを備え、前記周辺窪み部分は、
−前記１次電気コイルを支持するためのベース部分と、
−前記ベース部分の両側から延在する傾斜側壁部分であって、前記１次電気コイルの導体と絶縁層の列の積重ねを可能にする複数の段差を備えるループ状部品。
【請求項２１】
請求項２０に記載のループ状部品において、隣接する垂直リム間の角の段差の高さは徐々に減少するループ状部品。
【請求項２２】
請求項２０に記載のループ状部品において、前記複数のリムの１つのリムは、前記コイルに隣接しかつ横切って流体を伝導するためのチャネルをさらに提供し、前記チャネルはそれぞれ、前記ループ状部品の一方の側に１つの入口を、前記ループ状部品の他の側に１つの出口を有し、リムに沿う段差の高さは、前記入口および出口を収容するためにある長さだけ増加するループ状部品。
【請求項２３】
請求項２０に記載のループ状部品において、前記複数のリムの１つのリムは、前記ループ状部品の一方の側にタップ入力開口をさらに提供し、搭載されると、前記コイルへのタップの接続を可能にし、リムに沿う段差の高さは、前記タップ入力開口を収容するためにある長さだけ増加するループ状部品。
【請求項２４】
請求項２０に記載のループ状部品において、所定の段差は、ある列の最後のコイルループと、隣接する列上の第１のコイルループを架橋するために形成されるループ状部品。
【請求項２５】
請求項２４に記載のループ状部品において、前記架橋は、垂直リムの角において実施されるループ状部品。
【請求項２６】
請求項２０から２５のいずれか１項に記載のループ状部品において、前記ループ状部品は、連結可能な第１および第２の半分部分を備えるループ状部品。
【請求項２７】
請求項２０に記載のループ状部品において、前記複数のリムの１つのリムは、前記コイルに隣接しかつ横切って流体を伝導するためのチャネルをさらに提供し、前記チャネルはそれぞれ、前記ループ状部品の一方の側に１つの入口を、前記ループ状部品の他の側に１つの出口を有し、前記チャネルは、前記ベース部分および前記傾斜側壁部分の少なくとも１つの傾斜側壁部分を横断する横断溝によって形成されるループ状部品。
【請求項２８】
請求項２７に記載のループ状部品において、ポートが、前記入口を、前記ベース部分を横断する前記横断溝に流体接続するループ状部品。
【請求項２９】
請求項２０から２８のいずれか１項に記載のループ状部品において、前記直線セクションを有する前記リムの前記ループ状部品の内側表面は実質的に半円筒形であり、前記直線セクションを有する前記リムに垂直なリムの前記ループ状部品の内側表面は平坦であるループ状部品。
【請求項３０】
請求項２９に記載のループ状部品において、実質的に半円筒形である前記内側表面の曲率半径は、前記ループ状部品の周りに搭載可能な円筒形コアの内径より小さいループ状部品。
【請求項３１】
第１の端部および第２の端部を有する電気導体ストリップでできた電気コイルおよび前記コイルがその上に巻回される枠を備える電気コイル組立体であって、前記端部の少なくとも一方の端部は、１５°と７５°との間の角度に従って、第１の折り曲げ線に沿って折り返され、それにより、前記一方の端部は、接続リード線を提供するために前記コイルが存在する平面に対して横断して延在する電気コイル組立体。
【請求項３２】
請求項３１に記載の電気コイル組立体において、前記角度は４５°である電気コイル組立体。
【請求項３３】
請求項３１または３２に記載の電気コイル組立体において、折り返された前記一方の端部は、前記ストリップの縦軸に平行な第２の折り曲げ線に沿ってさらに折り曲げられる電気コイル組立体。
【請求項３４】
請求項３１に記載の電気コイル組立体において、ループ状部品を備える支持枠を備え、前記ループ状部品は、複数のリムならびに第１および第２の対向する側壁を備え、前記複数のリムのうちの２つのリムは、対向する上部および底部直線セクションを形成する、電気変圧器コア組立体と組合せて、前記コイル組立体は、
−前記ループ状部品に巻回された１次電気コイルであって、１次コイルの対向する端部に第１および第２の１次端子を備え、前記第１および第２の１次端子は、前記ループ状部品の前記第１の側壁から延在する、１次電気コイルと、
−前記１次電気コイルに巻回された２次電気コイルであって、導体ストリップから作られ、２次コイルの対向する第１および第２の端部に第１および第２の２次端子を備える、２次電気コイルとを備え、前記第１の２次コイル端子は、前記第１および第２の１次サブコイル端子が延出する前記第１の側壁に対向する前記第２の側壁に対して垂直にかつ前記第２の側壁から前記ストリップの第１の長さが延在するように、前記第１の側壁に対して第１の４５°折り曲げ線に沿って、前記ストリップの第１の端部を折り返すことによって形成され、
前記第２の２次端子は、第１の中間折り曲げ部を形成するために、第２の４５°折り曲げ線に沿って、前記ストリップの前記第２の端部を折り返し、前記ストリップの第２の長さが、前記第１および第２の側壁に平行にかつ外側に延在するように、前記第２の４５°折り曲げ線に垂直な第３の４５°折り曲げ線に沿って、前記第１の中間折り曲げ部の上に前記ストリップの前記第２の端部を折り曲げることによって形成される電気コイル組立体。
【請求項３５】
電気変圧器カーネル組立体を組立てる方法であって、
ａ）第１のループ状部品であって、１次電気コイルを受取るための周辺窪み部分を、第１のループ状部品の外側表面に沿って有し、少なくとも１つの直線セクションを有する、第１のループ状部品に、前記１次電気コイルを巻回するステップと、
ｂ）前記第１のループ状部品に、前記１次電気コイル上にピギーバックで、２次電気コイルを巻回するステップと、
ｃ）第２のループ状部品であって、１次電気コイルを受取るための周辺窪み部分を、第２のループ状部品の外側表面に沿って有し、少なくとも１つの直線セクションを有する、第２のループ状部品に、前記１次電気コイルを巻回するステップと、
ｄ）前記第２のループ状部品に、前記１次電気コイル上にピギーバックで、２次電気コイルを巻回するステップと、
ｅ）前記直線セクションだけが、隣接し、中央レグを形成するように、前記第２のループ状部品に対して前記第１のループ状部品を取付けるステップと、
ｆ）前記第１のループ状部品と前記第２のループ状部品との距離を第１の離間距離に調整するステップと、
ｇ）前記中央レグの周りにマンドレルを設置するステップであって、前記マンドレルは、前記第１のループ状部品および前記第２のループ状部品が、前記第１の離間距離だけ離間すると、前記中央レグの周りに自由に回転するサイズに作られる、設置するステップと、
ｈ）磁気コアを形成するために、前記中央レグに金属リボンを巻回するステップとを含み、
前記巻回するステップｈ）は、前記取付けるステップｅ）と異なる方法。
【請求項３６】
請求項３５に記載の方法において、
ｉ）前記マンドレルが前記中央レグの周りに回転するのを阻止されるように、前記第１のループ状部品と前記第２のループ状部品との距離を前記第１の離間距離より大きい第２の離間距離に調整するステップと、
ｊ）前記中央レグを形成する前記隣接する直線セクション間にスペーサ要素を挿入するステップとをさらに含む方法。
【請求項３７】
請求項３５または３６に記載の方法において、ステップａ）およびステップｃ）中に、
ａａ）異なる所定のターン数で前記１次電気コイルによって複数の導体ループを形成するステップと、
ｂｂ）接続リード線を形成するために、前記導体ループのそれぞれを個々に撚り合せるステップと、
ｃｃ）撚り合わされた隣接する導体ループ間に絶縁スリーブを挿入するステップと、
ｄｄ）前記１次電気コイルの巻線に対して横断して前記リード線を曲げるステップとをさらに含む方法。
【請求項３８】
電気変圧器カーネル組立体を組立てるためのシステムであって、
−第１のループ状部品および第２のループ状部品に１次電気コイルをそれぞれ巻回するための第１の巻線システムであって、各ループ状部品は、前記１次電気コイルを受取るための周辺窪み部分を、前記ループ状部品の外側表面に沿って有し、前記第１のループ状部品および前記第２のループ状部品はそれぞれ、少なくとも１つの直線セクションを有する、第１の巻線システムと、
−前記第１のループ状部品および前記第２のループ状部品に、前記１次電気コイル上にピギーバックで、第２の電気コイルをそれぞれ巻回するための第２の巻線システムと、
−前記直線セクションだけが、隣接し、中央レグを形成するように、調整可能取付け手段によって前記第２のループ状部品に対して前記第１のループ状部品を取付けるための取付けシステムと、
−前記中央レグの周りにマンドレルを設置するためのマンドレル設置システムであって、前記マンドレルは、前記第１のループ状部品および前記第２のループ状部品が、前記第１の離間距離だけ離間すると、前記中央レグの周りに自由に回転するサイズに作られる、マンドレル設置システムと、
−磁気コアを形成するために、前記中央レグに金属リボンを巻回するための第３の巻線システムであって、前記コアは前記調整可能取付け手段と異なる、第３の巻線システムとを備えるシステム。
【請求項３９】
連続生産で電気変圧器カーネル組立体を製造するための請求項３５から３７に記載の方法の使用。
【請求項４０】
請求項３５から３７に記載の方法によって組立てられる複数の電気変圧器カーネル組立体を収容するための格納コンテナ。
【発明の詳細な説明】
【技術分野】
【０００１】
本発明は、電気変圧器に関する。より詳細には、本発明は、電気グリッドで使用するための配電変圧器に関する。より詳細には、本発明はまた、単相および３相配電変圧器に関する。
【背景技術】
【０００２】
電気は、５０または６０Ｈｚの振動周波数で生成され、伝送され、配電される。変圧器は、電気振動電圧および電流を変更するために使用される電気装置である。変圧器のおかげで、生成される電気は、高電圧かつ低電流に変換され長い距離にわたって伝送されることができ、再び低電圧に変換される前にジュール損失が最小の状態にある。配電変圧器は、電圧を使用可能な値に減少させるために、電力線の端部に配置される。従来の配電変圧器は、ループ間の適切な電圧絶縁を提供しながら、電気伝導体の複数のループを巻回することによってそれぞれが作られる、ディスクリートな１次および２次電気伝導性コイルを備える。１次および２次コイルは共に、強磁性合金でできたコアを取り巻いて、前記コイルの両方を通る閉ループで磁束が循環するための経路を生成する。振動電圧は、１次コイルのリード線の両端に印加されると、コア内に変動磁束を誘導し、変動磁束は、反転作用（reverse effect）によって２次コイルのリード線端子の両端に電圧を逆に誘導する。コアの強磁性特性は、コイルによって誘導されるピーク磁束密度の増加が、コイルループサイズを減少させ、したがって、変圧器のサイズを減少させることを可能にする。配電変圧器の１次コイルは、高電圧側にあり、２次コイルは、低電圧側にある。２つ以上の２次コイルが、コアを囲んで、２つ以上の低電圧を提供することができる。
【０００３】
大多数の負荷を占める家庭および小プラントの場合、グリッド上に設置されるほとんどの配電変圧器は、主に１０〜２００ｋＶＡの範囲の負荷容量を有する単相ユニットである。典型的な１次電圧は５〜３０ｋＶの範囲にあり、２次電圧は１１０ボルトから最大４８０ボルトの範囲にある。コイルおよびコアは、インタレース式組立体を形成し、一般に、誘電性オイルを充填された格納容器内に取付けられ、コイルのリード線を電力線および負荷にそれぞれ電気接続するためのフィードスルーブッシング（電気デバイスに接続される絶縁された電気導体）を装備する。明確にするために、本文書において「変圧器カーネル（transformer kernel）」という用語は、格納容器および付属品のないコイルおよびコア組立体を指す。
【０００４】
２つの主要なタイプ（シェル型とコア型）の変圧器カーネルは、配電変圧器を生産するために使用される。シェル型設計では、コア内の戻り磁束経路は、閉囲されたコイルの外側である。これは、コア型設計の場合、そうでない。単相シェル型配電変圧器は、１次および２次コイルを備える閉囲された単一巻線配置構成の２つの異なるリムの周りをそれぞれ取り巻いた２つのコアを有する。あるいは、単相コア型変圧器は、閉囲された単一コアの２つのリムの周りをそれぞれ取り巻いた２つの巻線配置構成を有する。配電変圧器が、通常１２０／２４０ボルトを出力するために、２つの２次コイルを有する場合、コア型設計の各２次コイルは、不平衡負荷の下での変圧器の適切な動作を保証するために、細分され、両方の巻線配置構成の間で分配されなければならず、そうでなければ、過剰なタンク加熱が、磁束漏れから生じることになる。そうすることは、各２次コイルを構成するサブコイルからのリード線端子を直列にリンクするためにさらなる接続を行うことを必要とする。シェル型変圧器は、細分されない２次コイルによって正しく動作することができる。しかし、２次コイルを細分することは、各１２０ボルト回路について平衡インピーダンスを提供し、したがって、よりより電圧調整をもたらし、３相配送電圧の一相を供給するために並列に接続されるときの２次コイル内の循環電流を最小にし、雷サージに対するより大きなコイル信頼性を提供する。多くの製造業者は、シェル型配電変圧器内の非細分式２次コイルを生産して、コイルのラジアル構造を著しく増加させる、かさばるリード線を必要とし、しばしば、より大きなタンクについての要求をもたらすさらなる接続についての必要性を回避する。これらの接続を行うことが手作業で行われるため、こうした接続を回避することによって信頼性が増し、それがまた、許容可能な電圧調整および循環電流特性を依然として提供しながら、変圧器のコストを低減すると考えられる。
【０００５】
コイルを作るための導体材料の選択は、銅およびアルミニウムに制限される。銅は、アルミニウムより伝導性があるが、より重い。主に使用される絶縁材料は、オイル、クラフト紙またはアラミド紙、厚紙、プレスボード、ワニス、エポキシ樹脂、または強化エポキシである。コアを作るための磁気材料のより多くの利用可能な選択が存在する。２つのファミリータイプの強磁性合金、すなわち、粒子配向性珪素鋼およびアモルファス鋼が、配電変圧器コアを作るために主に使用される。他の合金が利用可能であるが、費用効果的でなく、モータ、高周波コアを作ることを対象とされる。
【０００６】
粒子配向性珪素鋼は、鋳造、アニーリング、焼入れ、圧延、脱炭、およびコーティングを含む複数段階工程で形成された結晶合金であり、０．２３〜０．３５ｍｍの範囲の厚さで異なる等級のシートになる。その結晶粒は、圧延方向に平行である単軸磁気異方性を提供するためにシート内で配向される。単軸異方性は、変圧器の励磁電流および鉄損を低減する。したがって、シートは、誘導磁束の循環経路に追従する被圧延方向を有するように、変圧器コア内に位置決めされなければならない。使用される前に、珪素鋼シートは、磁気特性を損なう印加曲げ応力を逃がし、形状を保持するために、コア内で占めることになる形態で加熱されなければならない。鋼の加熱は、一般に、８００℃を超える温度で炉内で長時間の間、予備成形されたコアをバッチでアニールすることによって実施される。
【０００７】
アモルファス鋼は、高速度で回転する冷却用ホイールの表面上で溶融合金を鋳造することによって形成される非晶質合金であり、０．０２〜０．０５ｍｍである厚さを有するリボンを形成することになる。アモルファス鋼は、単一工程鋳造プロセスの利点のために、珪素鋼より形成するのが安価である。両方の合金の組成を考慮しても、鋳放しアモルファス鋼リボンの価格は、最も一般的な粒子配向性珪素鋼より安価である。アモルファス鋼はまた、鋳造中に生じる、また、印加曲げ応力による内部残留応力を逃がすために加熱される必要がある。さらに、保磁力を減少させるために磁場内でアモルファス鋼をアニールし、印加磁場に平行であることになる単軸磁気異方性を誘導することが好ましい。慣例的に、アモルファス鋼リボンは、誘導磁束の循環経路に追従するように配向された縦軸を有するように、変圧器コア内に位置決めされる。コアは、慣例的に、３００℃を超える温度で、また、循環経路に追従する印加磁場によって炉内でバッチアニールされる。アニーリングに続いて、アモルファス鋼コアは、外的に印加される応力に非常に敏感なままになり、リボンが脆くなる。これは、アモルファス鋼コアを、操作し、コイルと共に組立てるのを難しくする。
【０００８】
内部電力損失は、配電変圧器が自分の効率を低下させるため、全ての配電変圧器についてまわるものであり、配電変圧器の効率は、エネルギー節減を考慮する場合重要な局面である。内部電力損失は、変圧器が励磁され、負荷印加中に出力増加するときに、変圧器内で生成される。励磁されるだけのとき、変動する誘導磁束密度が、コア内に連続して存在する。これは、磁化サイクルに伴う強磁性材料内の鉄損を生成し、ジュール損失を生成する金属合金内の電流ループを誘導する。同じレベルの変動磁束密度で、アモルファス鋼コアは、珪素鋼コア内で生成される鉄損の約１／３の鉄損を生成する。負荷が加えられると、変圧器コイルの導体に流れる負荷電流は、導体サイズに逆比例するさらなるジュール損失を生成する。同じサイズでは、銅導体は、アルミニウム導体より少なく加熱することになる。変圧器の効率は、出力電力と内部電力損失（コアおよびコイル）の総計に対する出力電力の比であることになる。
【０００９】
配電変圧器電力出力能力は、コイルの周囲を超える温度上昇に基づいて等級付けられる。スムーズタンク内に収容されるオイル内に変圧器カーネルを浸漬させることは、コイル温度上昇を許容可能限界内に維持するための効率的な冷却を提供するための最も経済的な手段である。熱は、熱い変圧器カーネルからオイルへ、オイルからタンク壁へ、その後、タンク壁から外部へ伝達される。より高い冷却能力の場合、タンクの壁表面が、波形構造によって、あるいは、タンクの側面に溶接された外部金属チューブによってまたはプレーンタンクに取付けられた外部ラジエータによって増加されうる。変圧器カーネルからの熱除去はまた、カーネルの内部部品からの熱の伝達を考慮しなければならない。熱は、伝導、放射、および対流によって伝達されうる。３つ全ての中で、対流が最も重要である。対流は、熱い表面をオイルに露出することによって起こる。熱い表面からオイルへ伝導される熱は、流体温度を上げ、その密度を減少させる。これは、より軽い熱いオイルが、タンク内を上に移動して、より重い冷たい流体によって置換されるため、循環流れ（current）を生成する。熱いオイルは、タンク表面に沿って対流することによって冷却され、底部に戻ることになる。熱伝達の増加は、カーネル、主にコイル上にまたはその中に、タンクの底部の近くに配置される１つの開口およびオイルが流れるための上部の近くの別の開口を有するダクトを作ることによって得られる。これは、煙突効果（または積重ね効果）によってオイル対流性流れを増加させることになる。
【００１０】
材料の適切な選択および変圧器カーネルのサイズ決定は、変圧器の効率および等級付けに影響を及ぼすことになる。同等の変圧器効率において、アモルファス鋼コアを使用することによって珪素鋼コアに優って得られるかなりの減算された鉄損は、より小さな導体サイズを使用することによってコイル内のさらなるジュール損失に変換されうる。そうすることは、変圧器サイズを低減するという利点を有するが、コイル内のジュール損失密度を増加させることになる。コイル内のこの余分の熱は、コイルの内部からオイルへの適切な熱伝達手段が設けられない場合、排気についての問題になる可能性がある。
【００１１】
コイルの製造は、一般に、半自動化または全自動化巻線機を使用して、コイル上に導体および紙シートを巻回することを含む。１次および２次のコイルは、異なる数のコイル状ループ（巻線ターン）を有する。１次コイルのコイル状ループの数は、コアの磁路内のピーク磁束を確立し、２次コイルに対する１次コイルのコイル状ループの比は、入力電圧が、２次コイルの両端間で出力されるように変換することになる。高電圧１次コイルは、通常、並べて積重ねた導体を絶縁するために、ワニスで覆われた小さな導体サイズの積重ねられた列（本文書では、列は、「直線（straight line）」で配列された多数のオブジェクトである）で配列された、いくつかのコイル状ループで作られる。好ましくは、紙は、隣接する列間に付加されて、高い電圧耐性能力が提供される。スペーサが、隣接する列間に付加されて、コイル用の冷却ダクトが提供されうる。低電圧２次コイルが少数のターンを有すると、裸（bare）導体ストリップの単一幅をより幅広の紙ストリップと並べて巻回することが安価になる。出口リード線は、コイル間のまたはフィードスルーブッシングに対する接続を可能にするために、コイル状導体の両端のコイルの側に設けられなければならない。リード線端子は、通常、コイル状導体の端部に溶接され、適切な電圧絶縁を保証するための絶縁スリーブで被覆される。リード線端子の設置、被覆、ブッシングとの接続は、主に手作業で行われ、変圧器コストを増加させる。
【００１２】
変圧器コアの製造は、複数の積重ねられた平坦強磁性金属シートを隣接させるかまたは重ね合わせること（積重ね式カットコア（stacked-cut-core））、または、閉ループ形状に曲げられる金属シートの両端を突き当てるかまたは重ね合わせること（巻回式カットコア（wound-cut-core））、または、金属シートの連続ストリップの複数ターンをロールアップすること（ロールアップ式アンカットコア（rolled-up-uncut-core））を必要とする。カットコアは、アンカットコアに比べて著しい欠点を有する。第１に、カットコアの製造は、切断および成形のための多大の労力を必要とし、変圧器コストを増加させる。第２に、変圧器の励磁電流および電力損失の増加は、コア内の継手の存在に関連する。第３に、カットコアは、フープ応力に耐える能力を失い、したがって、継手が開口しないようにしばり、枠に入れられなければならない。全てのタイプのコアの中で、アモルファス鋼巻回式カットコアは、とりわけ、より多くの切断工程、特別なアニーリング炉、および注意深いポスト操作を必要とするため、生産するのに最も費用がかかる。
【００１３】
電気コイルと磁気コアをインタレースすることは、予め巻回された電気コイルの周りにカットコアを手作業で開口し再び閉鎖することによって、または、磁気コアのリムに電気コイルの導体を巻回することによって（カットまたはアンカット）、または、逆に、アンカットコアを形成するために、コイルのリムの周りに金属ストリップをロールアップすることによって達成される。第２および第３の場合では、巻回されるコイルあるいはロールアップされるアンカットコアは、円形状でなければならない。しかし、リムに連続導体または金属ストリップを巻回することは、自動化工業プロセスにおける大量生産によりよく適合する円滑で連続したタスクである。円形コイルを有する変圧器において、変圧器のサイズを最小にするために、コイルの窓の充填を最大にするための実質的な円筒形状のコアリムを有することが好ましい。したがって、円形境界によって境界を定められるコア断面を生成するために、異なる鋼シート幅が積重ねられるかまたは巻回されなければならない。こうしたコアを製造することは、異なる幅の磁気ストリップの生産または材料スリッティングおよび多くの労力を必要とする。一方、円形コアを有する変圧器は、それぞれの導体のコイル状ループが、コアの円形窓のほとんどを占めるように全てのコイルについてコイル内に配列されうるため好ましい。したがって、電気導体は、円形境界に嵌合するように、１列について異なる数のコイル状ループで巻回される。これは、高電圧１次コイルを一般に構成する小さな電気導体によって行われうる。一般に、１次コイルは、円形導体で作られるが、円形窓のよりよい充填のために長方形導体で作られることができる。しかし、円形境界に嵌合するように異なる幅の列の導体をコイル化し積重ねること、および、隣接する列間で絶縁シートを巻回することは、特に円形境界の縁部の近くの各列の端部において、導体が歪んだ方法で自分自身をパックし、列を破壊する傾向があるため、自明ではなく、それにより、縁部を引き裂くことなく絶縁シートを巻回するときの困難さを生じる。したがって、積重ね式列内でのコイル状導体の編成を保証することは、隣接する列間で絶縁シートが巻回されなければならないため、重要である。低電圧２次導体について、２次導体は、一般に、大きな裸導体ストリップと絶縁ストリップを同時にコイル化し、それにより、高電圧１次コイルの導体の列が両側に分配される状態で、両者が、円形エリアの中央部分でそれぞれのコイル状ループに積み上がることによって生産される。その後、組立てられたコイルは、コアの回転が形成されることを可能にするために、コイルの窓の縁部間にギャップを提供しなければならない。単一幅の連続する強磁性金属ストリップをロールアップするための長方形窓をコイル内に設けるために、全体が長方形の形状を有するコイルを単に使用することによってコアレーシングが行われうる。必要である場合、２部分回転マンドレルが、ストリップを容易にロールアップするための支持体として、コイルのリム上に設置されうる。
【００１４】
円形磁気アンカットコアは、連続する単一ストリップ幅の珪素鋼シートまたはアモルファス鋼リボンを使用して製造されうる。珪素鋼の場合、完全なコアは、コイルリム上に搭載されるマンドレルと同じ径を有する第２のマンドレル上に最初にロールアップされ、その後、炉内でアニールされなければならない。アニールされると、コアは、ストリップをそのアニールされた構成に戻すために、ストリップの内部端を最初に挿入することによって、ロール解除され、電気コイル上に再びロールアップされなければならない。従来の粒子配向性珪素鋼シートが、かなりの剛性を示すとすると、材料をその弾性限界を超えて曲げることなく、ストリップをロールアップするために適切な配慮が払われなければならない。これは、ロールアッププロセスをより難しくし、コアは、依然として、別々に、最初にロールアップされ、アニールされ、操作される必要があり、変圧器コストを増加させる。一方、アニールされたアモルファス鋼円形アンカットコアは、リボンによって非常に薄く構築されるため、塑性変形に達することなく、移送中に過酷に曲げられうる。アニールされると、外的に印加される応力に合金が敏感であるままになるため、リボンをきつくロールアップすることは、鉄損および励磁電流を増加させる。最良の慣行は、低い引張応力でリボンを軽くロールアップし、枠組構造によって、大幅な応力を付加することなく所定場所に完成したコアを支持することである。しかし、リボンが、低い引張応力でロールアップされると、形成されるコアは、自己構造的完全性を全く持たず、リボンは、許容される場合、一端で摺動するように容易に自在に伸縮しうる。コア軸が垂直に位置決めされる場合、支持ベースが必要とされる。同様に、炉中アニールリング処理後に、アモルファス鋼が非常に脆くなるため、ロール解除し再びロールアップすることは、自明ではない。炉中アニールされた強磁性アモルファス鋼円形コアからリボンの別のマンドレルに関してロール解除し、移送し、ロールアップする方法は、米国特許第４６６８３０９号で、また、多くの論文、たとえば、「Induction Accelerator Development for Heavy Ion Fusion」L.L.Reginato, IEEE Proceedings of the 1993 Particle Accelerator Conference, vol.1, p.656-660、「Exciting New Coating For Amorphous Glass Pulse Cores」R.R.Wood, IEEE 1999 12thInternational Pulsed Power Conference,vo.1, p.393-396、および「Induction Core Alloys for Heavy-ion Inertial Fusion-energy Accelerators」A.W.Molvik, The American Physical Society, Physical Review Special Topics-Accelerators and Beams, vol.5, 080401, 2002で考慮された。これらの従来技術の解析から、この方法は、リボンが、その深刻な脆さのために、移送中に非常にしばしば破断する傾向があるため、実行不可能であると考えられる。
【００１５】
配電変圧器カーネルの別の重要な態様は、２次コイルの出力における短絡故障に耐えるその能力である。短絡状態中に、１次コイルと２次コイル間に反発力が生成される。これらの反発力は、円形状を採用したくなるようにコイルに作用する。これらの力は、コイルが既に円形状に作られている場合、コイルの構造的完全性を損なうことはなく、または、これらの力は、楕円形状コイルを使用して十分に軽減されうるが、これは、異なる幅を有する一連のストリップを巻回することを必要とすることになり、先に述べたように変圧器コストを増加させることになる。単一幅の鋼ストリップをロールアップすることによって形成されるコアは、長方形断面を有することになる。したがって、コイルは、コアの長方形断面が通過するための長方形窓の境界を定める４個の直線リムを有しなければならない。長方形コイルを形成する導体および紙は、反発力に耐えるために必要とされる自己構造的完全性に欠ける。強い内側力が、コイルの各角に現れることになり、角に適切な支持体が設けられない場合、角における絶縁を働かなくさせる可能性がある。角における支持体は、コイルが、コアにしっかりよりかかる場合に設けられうる。珪素鋼円形コアは、その角に対する内側力を維持するのに十分に強固である可能性があるが、これは、低い構造的完全性を有し、また、先に述べたように印加応力に対してネガティブに反応するアモルファス鋼円形コアの場合、可能でない。コイルの周りにバンデージをコイル化するかまたは樹脂内にコイルを含浸させることは、機械的強度をある程度まで改善することになる。適切な自己機械的強度は、外部強化構造を提供するために、注型用樹脂内にコイルをカプセル化することによって得られうる。しかし、コロナ放電を回避するために、注型中に気泡がトラップされないことを保証するために配慮が払われなければならない。導体／紙と樹脂との間の層間剥離のリスクも存在する。さらに、コイルの冷却はより難しくされる。
【００１６】
変圧器カーネルが完全に組立てられると、格納容器内にカーネルを取付け固定するための手段が設けられなければならない。従来の珪素鋼配電変圧器は、コアを介して格納容器にしっかり固着される。慣行は、コイル用の支持体としてコアを使用し、次に、枠によって格納容器内にコアをクランプし固定することである。この方法は、アモルファス鋼配電変圧器に適さず、コイルを介してカーネルを取付けることは実行不可能である。アモルファス鋼配電変圧器についての最良の慣行は、あまり応力をかけることなく、コイルとコアの両方を支持するための枠を有することである。
【００１７】
米国特許第５３８７８９４号は、半円形断面のリムを有する円筒形状の２つの隣接する巻線の周りに配置されるマンドレル上に強磁性材料の連続ストリップをロールアップすることによって作られる円形コアを備えるコア型配電変圧器を開示する。強磁性ストリップは、アモルファス鋼ストリップとすることができ、アモルファス鋼ストリップは、マンドレル上にまずロールアップされ、次に、ロール解除されコイルの周りに再びロールアップされる前に、磁気飽和下でアニールされた。しかし、その文書は、コアアニーリング後に起こるアモルファス鋼ストリップの脆化および脆いアモルファス鋼ストリップを移送する難しさを論じておらず、また、形成されたアモルファス鋼コアに対する支持を提供する方法を教示しない。さらに、異なる幅の導体の積上げられた列を効率的にコイル化し、円形境界内の導体の隣接する列間に絶縁シートを巻回する方法についての教示が提供されない。さらに、コイルから出る導体リード線端子を作り、配置し、接続する方法についての教示が提供されない。さらに、隣接する巻線を固定し、変圧器カーネルをタンク内に固定する手段が提供されない。さらに、文書は、コイルの角を楕円構成で湾曲させることによって問題を軽減するが、長方形コイルの角において短絡時機械力を適切に維持する機械構造的手段が、コイルに提供されない。最後に、文書は、特にアモルファス鋼コアを使用するときに、導体内で発生する熱をコイルの外側へ伝達する冷却手段を設ける方法を教示しておらず、こうした熱は、強烈であり、所与の変圧器効率についてより小さなコイルで生成される。
【発明の概要】
【発明が解決しようとする課題】
【００１８】
したがって、従来技術の少なくとも１つの欠点を克服する方法および装置を提供することが本発明の目的である。
【課題を解決するための手段】
【００１９】
本発明によれば、電気変圧器組立体用の支持枠が提供され、支持枠は、
−２つのループ状部品であって、各ループ状部品は複数のリムを有し、各リムは、周辺窪み部分を有し、周辺窪み部分内に、１次電気コイルが搭載可能であり、また、少なくとも１つの２次コイルが、前記１次電気コイル上にピギーバックで搭載可能であり、各ループ状部品の１つのリムは直線セクションを有する、２つのループ状部品と、
−ループ状部品の一方のループ状部品を、他のループ状部品に対して取付け、直線セクションだけが隣接し、中央レグを形成するように、両者間の距離を調整するための調整可能取付け手段とを備え、中央レグは、取付け手段と異なる磁気コアを受取るためのものである。
【００２０】
好ましくは、ループ状部品は、ファイバーガラス、エポキシ、紙、厚紙、木材、および木材複合材を含む群から選択される材料で作られる。
好ましくは、支持枠は、ループ状部品を変圧器タンクに固定するための固定手段をさらに備える。
【００２１】
好ましくは、第１の実施形態によれば、固定手段は、
−ベース枠と、
−ループ状部品の底部分をベース枠に固着するための第１の固着手段と、
−ベース枠を変圧器タンクに固着するための第２の固着手段とを備える。
【００２２】
好ましくは、別の実施形態によれば、固定手段は、
−ベース枠と、
−ループ状部品の上部分をベース枠に固着するための第１の固着手段と、
−ベース枠を変圧器タンクに固着するための第２の固着手段とを備える。
【００２３】
好ましくは、固定手段は、ベース枠に対してループ状部品を整列させるための整列手段を備える。
好ましくは、支持枠は、場所ごとに支持枠を操作し変位させるための、ループ状部品の上部分上に配置される操作手段をさらに備える。
【００２４】
好ましくは、別の実施形態によれば、固定手段は、
−ベース枠と、
−ループ状部品の操作手段をベース枠に固着するための第１の固着手段と、
−ベース枠を変圧器タンクに固着するための第２の固着手段とを備える。
【００２５】
好ましくは、中央レグを形成するリム以外の前記複数のリムの選択された１つのリムは、コイルに隣接しかつ横切って流体を伝導するためのチャネルをさらに提供し、チャネルはそれぞれ、前記１つのリムの一方の側に１つの入口を、前記１つのリムの他の側に１つの出口を有する。
【００２６】
好ましくは、チャネルは、流体内で煙突効果を生成するために水平に対してある角度を形成する。
好ましくは、支持枠は、チャネルの入力を閉囲するための第１の煙突であって、閉鎖上部および開口底部を有する、第１の煙突、および、チャネルの出力を閉囲するための第２の煙突であって、閉鎖底部および開口上部を有する、第２の煙突をさらに備えて、第１の煙突および第２の煙突によって、流体内に煙突効果を生成する。
【００２７】
好ましくは、本発明の一実施形態では、チャネルは、ループ状部品の窪み部分内の横断溝によって形成される。
好ましくは、本発明の別の実施形態では、チャネルは、ループ状部品上に搭載されると、コイルの隣接列間に位置決めされる絶縁スペーサによって境界を定められる。
【００２８】
好ましくは、ループ状部品の１つのループ状部品は、調整可能取付け手段によって、他のループ状部品に対して位置決め可能であり、それにより、ループ状部品は、第１の離間距離および第２の離間距離によって選択的に分離され、前記第２の離間距離は第１の離間距離より大きく、支持枠は、中央レグを囲むマンドレルをさらに備え、前記マンドレルは、ループ状部品が前記第１の離間距離によって分離された状態で中央レグの周りに自由に回転するサイズに作られ、前記マンドレルは、ループ状部品が前記第２の離間距離によって分離された状態で中央レグの周りに回転することを阻止される。
【００２９】
好ましくは、マンドレルは、ファイバーガラス、エポキシ、紙、厚紙、木材、および木材複合材を含む群から選択される絶縁材料で作られる。
好ましくは、マンドレルは、連結可能な第１および第２の半分部分を備える。
【００３０】
好ましくは、マンドレルは、マンドレルの末端に対向するフランジをさらに備える。
好ましくは、支持枠は、搭載されると、ループ状部品内の所定位置にコイルを固定するための、中央レグを形成するリム以外の前記リムの少なくとも１つのリムの外側表面上に搭載可能な少なくとも１つのすじかい材をさらに備える。
【００３１】
好ましくは、少なくとも１つのすじかい材は、コイルに隣接して流体を伝導させるためのチャネルを提供し、チャネルはそれぞれ、煙突効果による循環を可能にするための入口および出口を有する前記少なくとも１つのすじかい材によって提供される。
【００３２】
本発明によれば、電気変圧器組立体の支持枠のループ状部品も提供され、ループ状部品は、
−複数のリムであって、複数のリム上に、１次電気コイルおよび少なくとも１つの２次電気コイルが搭載可能であり、各リムは、周辺窪み部分を有し、周辺窪み部分内に、１次電気コイルが搭載可能であり、また、前記少なくとも１つの２次電気コイルが前記１次電気コイル上にピギーバックで搭載可能であり、ループ状部品の１つのリムは直線セクションを有する、複数のリムを備え、周辺窪み部分は、
−前記１次電気コイルを支持するためのベース部分と、
−前記ベース部分の両側から延在する傾斜側壁部分であって、１次電気コイルの導体と絶縁層の列の積重ねを可能にする複数の段差を備える。
【００３３】
好ましくは、隣接する垂直リム間の角の段差の高さは徐々に減少する。
好ましくは、前記複数のリムの１つのリムは、コイルに隣接しかつ横切って流体を伝導するためのチャネルをさらに提供し、チャネルはそれぞれ、ループ状部品の一方の側に１つの入口を、ループ状部品の他の側に１つの出口を有し、リムに沿う段差の高さは、前記入口および出口を収容するためにある長さだけ増加する。
【００３４】
好ましくは、前記複数のリムの１つのリムは、ループ状部品の一方の側にタップ入力開口をさらに提供し、搭載されると、コイルへのタップの接続を可能にし、リムに沿う段差の高さは、前記タップ入力開口を収容するためにある長さだけ増加する。
【００３５】
好ましくは、所定の段差は、ある列の最後のコイルループと、隣接する列上の第１のコイルループを架橋するために形成される。
好ましくは、架橋は、垂直リムの角において実施される。
【００３６】
好ましくは、ループ状部品は、連結可能な第１および第２の半分部分を備える。
好ましくは、複数のリムの１つのリムは、コイルに隣接しかつ横切って流体を伝導するためのチャネルをさらに提供し、チャネルはそれぞれ、ループ状部品の一方の側に１つの入口を、ループ状部品の他の側に１つの出口を有し、チャネルは、ベース部分および傾斜側壁部分の少なくとも１つの傾斜側壁部分を横断する横断溝によって形成される。
【００３７】
好ましくは、ポートが、入口を、ベース部分を横断する横断溝に流体接続する。
好ましくは、直線セクションを有するリムのループ状部品の内側表面は、実質的に半円筒形であり、直線セクションを有する前記リムに垂直なリムのループ状部品の内側表面は平坦である。
【００３８】
好ましくは、実質的に半円筒形である内側表面の曲率半径は、前記ループ状部品の周りに搭載可能な円筒形コアの内径より小さい。
本発明によれば、第１の端部および第２の端部を有する電気導体ストリップでできた電気コイルおよびコイルがその上に巻回される枠を備える電気コイル組立体も提供され、端部の少なくとも一方の端部は、１５°と７５°との間の角度に従って、第１の折り曲げ線に沿って折り返され、それにより、前記一方の端部は、接続リード線を提供するためにコイルが存在する平面に対して横断して延在する。
【００３９】
好ましくは、本発明の一実施形態では、角度は４５°である。
好ましくは、折り返された一方の端部は、ストリップの縦軸に平行な第２の折り曲げ線に沿ってさらに折り曲げられる。
【００４０】
好ましくは、電気コイル組立体であって、ループ状部品を備える支持枠を備え、前記ループ状部品は、複数のリムならびに第１および第２の対向する側壁を備え、前記複数のリムのうちの２つのリムは、対向する上部および底部直線セクションを形成する、電気変圧器コア組立体と組合せて使用され、前記コイル組立体は、
−前記ループ状部品に巻回された１次電気コイルであって、１次コイルの対向する端部に第１および第２の１次端子を備え、前記第１および第２の１次端子は、ループ状部品の第１の側壁から延在する、１次電気コイルと、
−１次電気コイルに巻回された２次電気コイルであって、導体ストリップから作られ、前記２次コイルの対向する第１および第２の端部に第１および第２の２次端子を備える、２次電気コイルとを備え、第１の２次コイル端子は、第１および第２の１次サブコイル端子が延出する第１の側壁に対向する第２の側壁に対して垂直にかつ第２の側壁からストリップの第１の長さが延在するように、第１の側壁に対して第１の４５°折り曲げ線に沿って、ストリップの第１の端部を折り返すことによって形成され、
第２の２次端子は、第１の中間折り曲げ部を形成するために、第２の４５°折り曲げ線に沿って、ストリップの第２の端部を折り返し、ストリップの第２の長さが、前記第１および第２の側壁に平行にかつ外側に延在するように、第２の４５°折り曲げ線に垂直な第３の４５°折り曲げ線に沿って、第１の中間折り曲げ部の上にストリップの第２の端部を折り曲げることによって形成される。
【００４１】
本発明によれば、電気変圧器カーネル組立体を組立てる方法も提供され、方法は、
ａ）１次電気コイルを受取るための周辺窪み部分を、第１のループ状部品の外側表面に沿って有し、少なくとも１つの直線セクションを有する、第１のループ状部品に、１次電気コイルを巻回するステップと、
ｂ）第１のループ状部品に、１次電気コイル上にピギーバックで、２次電気コイルを巻回するステップと、
ｃ）１次電気コイルを受取るための周辺窪み部分を、第２のループ状部品の外側表面に沿って有し、少なくとも１つの直線セクションを有する、第２のループ状部品に、１次電気コイルを巻回するステップと、
ｄ）第２のループ状部品に、１次電気コイル上にピギーバックで、２次電気コイルを巻回するステップと、
ｅ）直線セクションだけが、隣接し、中央レグを形成するように、第２のループ状部品に対して第１のループ状部品を取付けるステップと、
ｆ）第１のループ状部品と第２のループ状部品との距離を第１の離間距離に調整するステップと、
ｇ）前記中央レグの周りにマンドレルを設置するステップであって、前記マンドレルは、第１のループ状部品および第２のループ状部品が、前記第１の離間距離だけ離間すると、中央レグの周りに自由に回転するサイズに作られる、設置するステップと、
ｈ）磁気コアを形成するために、中央レグに金属リボンを巻回するステップとを含み、
巻回するステップｈ）は、取付けるステップｅ）と異なる。
【００４２】
好ましくは、方法は、
ｉ）マンドレルが中央レグの周りに回転するのを阻止されるように、第１のループ状部品と第２のループ状部品との距離を第１の離間距離より大きい第２の離間距離に調整するステップと、
ｊ）中央レグを形成する隣接する直線セクション間にスペーサ要素を挿入するステップとをさらに含む。
【００４３】
好ましくは、方法は、ステップａ）およびステップｃ）中に、
ａａ）異なる所定のターン数で１次電気コイルによって複数の導体ループを形成するステップと、
ｂｂ）接続リード線を形成するために、導体ループのそれぞれを個々に撚り合せるステップと、
ｃｃ）撚り合わされた隣接する導体ループ間に絶縁スリーブを挿入するステップと、
ｄｄ）１次電気コイルの巻線に対して横断して前記リード線を曲げるステップとをさらに含む。
【００４４】
本発明によれば、電気変圧器カーネル組立体を組立てるためのシステムも提供され、システムは、
−第１のループ状部品および第２のループ状部品に１次電気コイルをそれぞれ巻回するための第１の巻線システムであって、各ループ状部品は、１次電気コイルを受取るための周辺窪み部分を、ループ状部品の外側表面に沿って有し、第１のループ状部品および第２のループ状部品はそれぞれ、少なくとも１つの直線セクションを有する、第１の巻線システムと、
−第１のループ状部品および第２のループ状部品に、１次電気コイル上にピギーバックで、第２の電気コイルをそれぞれ巻回するための第２の巻線システムと、
−直線セクションだけが、隣接し、中央レグを形成するように、調整可能取付け手段によって第２のループ状部品に対して第１のループ状部品を取付けるための取付けシステムと、
−前記中央レグの周りにマンドレルを設置するためのマンドレル設置システムであって、前記マンドレルは、第１のループ状部品および第２のループ状部品が、第１の離間距離だけ離間すると、中央レグの周りに自由に回転するサイズに作られる、マンドレル設置システムと、
−磁気コアを形成するために、中央レグに金属リボンを巻回するための第３の巻線システムであって、コアは調整可能取付け手段と異なる、第３の巻線システムとを備える。
【００４５】
好ましくは、上記方法は、連続生産で電気変圧器カーネル組立体を製造するために使用されることができる。
好ましくは、本発明はまた、上述した方法によって組立てられる複数の電気変圧器カーネル組立体を収容するための格納コンテナを提供する。
【図面の簡単な説明】
【００４６】
【図１】円形コアを備える変圧器カーネルの略図である。
【図２】コア窓を通過する支持枠内の２つのコイル配置構成の一方の導体の列を示す切断断面の略図である。
【図３】２つのコイル配置構成が互いに背中合わせによりかかるときの、コア窓を通過する支持枠内の２つのコイル配置構成の導体の列を示す切断断面の略図である。
【図４】２つのコイル配置構成がスペーサによって分離され、円形コアのマンドレルによりかかるときの、コア窓を通過する支持枠内の２つのコイル配置構成の導体の列を示す切断断面の略図である。
【図５】好ましい実施形態による、支持枠内の１次サブコイル配置構成の導体の列を示す図である。
【図６】別の好ましい実施形態による、別の支持枠内の別の１次サブコイル配置構成の導体の列を示す図である。
【図７】コア型変圧器のコイル配置構成の概略の電気回路図である。
【図８】図７に示すリード線接続が連結される図４の略図である。
【図９】コア窓の外側に配置される水平リムの支持枠内のコイル配置構成の切断断面の略図である。
【図１０】コア窓の外側に配置される垂直リムの支持枠内のコイル配置構成の切断断面の略図である。
【図１１】好ましい実施形態による支持枠の斜視図である。
【図１２】図１１の支持枠の角の導体の２つの圧縮列の略図である。
【図１３】好ましい実施形態による、１つの列から次の列へ導体をコイル化する方法を示す図１１に示す支持枠のトリミングされた斜視図である。
【図１４】好ましい実施形態による経路指定タップ用の空間を提供する支持枠のトリミングされた斜視図である。
【図１５】好ましい実施形態による、対流するオイルが通過するための斜めダクトを備える支持枠の斜視図である。
【図１６】別の好ましい実施形態による、対流するオイルが通過するための水平ダクトを備える支持枠の斜視図である。
【図１７】図１６に示す支持枠の切断図である。
【図１８】背中合わせに組立てられ、取付け手段によって固定される２つの支持枠の斜視図である。
【図１９】好ましい実施形態による、背中合わせに組立てられ、枠の下側部分において取付け手段によってベースに固定される２つの支持枠の斜視図である。
【図２０】別の好ましい実施形態による、背中合わせに組立てられ、枠の上側部分において取付け手段によってベースに固定される２つの支持枠の斜視図である。
【図２１】背中合わせに組立てられた２つの支持枠を受取るためのベース枠の２つの観察角度からの斜視図である。
【図２２】支持枠の２部分組立体の斜視図である。
【図２３】支持枠に導体を巻回するためのシステムの略図である。
【図２４】導体コイルを巻回する間に前記コイル上にタップを作るための方法を示す支持枠の略図である。
【図２５Ａ】好ましい実施形態による、支持枠の周りにコイルを形成するために導体ストリップを巻回するために必要とされるシーケンスの略図である。
【図２５Ｂ】好ましい実施形態による、支持枠の周りにコイルを形成するために導体ストリップを巻回するために必要とされるシーケンスの略図である。
【図２５Ｃ】好ましい実施形態による、支持枠の周りにコイルを形成するために導体ストリップを巻回するために必要とされるシーケンスの略図である。
【図２５Ｄ】好ましい実施形態による、支持枠の周りにコイルを形成するために導体ストリップを巻回するために必要とされるシーケンスの略図である。
【図２５Ｅ】図２５Ｅは好ましい実施形態による、支持枠の周りにコイルを形成するために導体ストリップを巻回するために必要とされるシーケンスの略図である。図２５Ｅ’は好ましい実施形態による、支持枠の周りにコイルを形成するために導体ストリップを巻回するために必要とされるシーケンスの略図である。
【図２６Ａ】別の好ましい実施形態による、支持枠の周りにコイルを形成するために導体ストリップを巻回するために必要とされるシーケンスの略図である。
【図２６Ｂ】別の好ましい実施形態による、支持枠の周りにコイルを形成するために導体ストリップを巻回するために必要とされるシーケンスの略図である。
【図２６Ｃ】別の好ましい実施形態による、支持枠の周りにコイルを形成するために導体ストリップを巻回するために必要とされるシーケンスの略図である。
【図２６Ｄ】別の好ましい実施形態による、支持枠の周りにコイルを形成するために導体ストリップを巻回するために必要とされるシーケンスの略図である。
【図２６Ｅ】別の好ましい実施形態による、支持枠の周りにコイルを形成するために導体ストリップを巻回するために必要とされるシーケンスの略図である。
【図２６Ｆ】別の好ましい実施形態による、支持枠の周りにコイルを形成するために導体ストリップを巻回するために必要とされるシーケンスの略図である。
【図２６Ｇ】別の好ましい実施形態による、支持枠の周りにコイルを形成するために導体ストリップを巻回するために必要とされるシーケンスの略図である。
【図２６Ｈ】別の好ましい実施形態による、支持枠の周りにコイルを形成するために導体ストリップを巻回するために必要とされるシーケンスの略図である。
【図２６Ｉ】別の好ましい実施形態による、支持枠の周りにコイルを形成するために導体ストリップを巻回するために必要とされるシーケンスの略図である。
【図２６Ｊ】別の好ましい実施形態による、支持枠の周りにコイルを形成するために導体ストリップを巻回するために必要とされるシーケンスの略図である。
【図２６Ｊ１】別の好ましい実施形態による、支持枠の周りにコイルを形成するために導体ストリップを巻回するために必要とされるシーケンスの略図である。
【図２７Ａ】コアおよび２つのコイル配置構成によって変圧器カーネルを組立てるために必要とされるシーケンスの略図である。
【図２７Ｂ】コアおよび２つのコイル配置構成によって変圧器カーネルを組立てるために必要とされるシーケンスの略図である。
【図２７Ｃ】コイル間の電気接続を行うために必要とされるシーケンスの略図である。
【図２７Ｄ】コイル間の電気接続を行うために必要とされるシーケンスの略図である。
【図２７Ｅ】ブッシングに対する電気接続を持って変圧器カーネルを変圧器タンク内に配置するために必要とされるシーケンスの略図である。
【図２８】タンク内の図２７に示す変圧器カーネルの正面図を示す略図である。
【図２９Ａ】別の好ましい実施形態による、支持枠の周りにコイルを形成するために導体ストリップを巻回するために必要とされるさらなるシーケンスの略図である。
【図２９Ｂ】別の好ましい実施形態による、支持枠の周りにコイルを形成するために導体ストリップを巻回するために必要とされるさらなるシーケンスの略図である。
【図３０Ａ】円形コアを形成するために、磁気ストリップをロールアップするための支持マンドレルの正面図である。
【図３０Ｂ】円形コアを形成するために、磁気ストリップをロールアップするための支持マンドレルの正面図である。
【図３０Ｃ】円形コアを形成するために、磁気ストリップをロールアップするための支持マンドレルの斜視図である。
【図３１】コアマンドレルを設置する前に背中合わせに組立てられ固定される２つのコイル配置構成を示す斜視図である。
【図３２】背中合わせに組立てられ固定される２つのコイル配置構成の中央レグの周りのコアマンドレルの設置を示す斜視図である。
【図３３】背中合わせに組立てられ固定される２つのコイル配置構成の中央レグの周りのコアマンドレルの設置および回転を示す斜視図である。
【図３４】背中合わせに組立てられ固定される２つのコイル配置構成の中央レグの周りに設置されたマンドレルの周りで磁気ストリップをロールアップするためのシステムの平面図である。
【図３５】背中合わせに組立てられ固定される２つのコイル配置構成の中央レグの周りに設置されたマンドレルの周りで磁気ストリップをロールアップする前の調整手順を示す図３４に示すシステムの平面図である。
【図３６】長円タンクの底部のベースに取付けられた、完成した変圧器カーネル組立体を示す第１の角度からの斜視図である。
【図３７】長円タンクの底部でベース枠に取付けられた、完成した変圧器カーネル組立体を示す第２の角度からの斜視図である。
【図３８】ベース枠に取付けられた、完成した変圧器カーネル組立体を示す第３の角度からの斜視図である。
【図３９】支持枠上でコイルを固定するために、コアなしの状態でかつすじかい材を備える変圧器カーネル組立体を示す第３の角度からの斜視図である。
【図４０】一連の背中合わせコイル配置構成および３つの円形コアを備える３相変圧器カーネルを示す斜視図である。
【図４１】複数の変圧器カーネルを格納し出荷するために使用されるコンテナの斜視図である。
【図４２】本発明の変圧器カーネルを閉囲するための長円変圧器タンク組立体の２つの観察角度からの２つの斜視図である。
【発明を実施するための形態】
【００４７】
本発明の異なる好ましい目的がここで提示される。
上述した配電変圧器カーネルを製造するためのコアおよびコイル組立て方法の全ての中で、予め巻回されたコイルの周りにインラインで湾曲されアニールされたアモルファス鋼リボンの連続単一ストリップをロールアップすることによって作られる円形コアを有する配電変圧器が、大量生産のためによりよく自動化されることができかつ最小コストである、最小の不連続的製造工程を伴う方法であると考えられる。米国特許出願番号第６１／２６２，６０３号は、アモルファス鋼リボンを低コストでインラインアニールして湾曲形状にするために使用される、アモルファス金属リボンを処理するための新しいシステムおよび方法を開示しており、こうしたアニールされたリボンは、ロールアップして円形コアを形成することを効率的に可能にする良好な延性を示す。さらに、インラインで湾曲されアニールされたアモルファス鋼リボンは、ロールアップされて、低鉄損および高い磁気誘導レベルにおける低励磁電力を示す円形コアを形成し、その円形コアから、配電変圧器カーネルが製造されうる。こうした配電変圧器カーネルは、同じレベルの効率で従来の珪素鋼配電変圧器カーネルと比較して小さい。こうしたインラインで湾曲されアニールされたリボンを使用することは、炉内でアニールされたコアのリボンをロール解除し再びロールアップすることに伴う破断問題をなくし、円形アンカットコア配電変圧器の製造を、可能でかつ費用効果的にする。
【００４８】
本発明の目的は、インラインでアニールされたアモルファス鋼延性リボンをロールアップすることによって作られ、また、知られている構成設計および製造方法に伴う欠点および制限を持たない円形コアを有する配電変圧器カーネルを提供することである。
【００４９】
本発明の別の目的は、低コストで大量に製造されることができる円形コアを有する配電変圧器カーネルを提供することである。
したがって、本発明は、効率的に、異なる幅の導体の列をコイル化し積重ね、湾曲境界を有する窪み内の隣接する列間に絶縁ストリップを巻回する方法を提供する。
【００５０】
したがって、本発明はまた、アモルファス鋼円形コア変圧器カーネル内に隣接する巻線を効率的に固定する手段および方法をさらに提供する。
したがって、本発明はまた、円形アモルファス鋼コア変圧器カーネルのコイルおよびコアを効率的に支持する手段をさらに提供する。
【００５１】
したがって、本発明はまた、小さな長円タンク内に効率的に閉囲され固着されることができる変圧器カーネルをさらに提供する。
したがって、本発明はまた、サブコイルとタンクブッシングとの間の容易な接続を行うために、２次コイルリード線端子を予備成形し、被覆する手段および方法をさらに提供する。
【００５２】
したがって、本発明はまた、アモルファス鋼円形コア変圧器カーネルをタンク内に効率的に固定する手段および方法をさらに提供する。
したがって、本発明はまた、円形アモルファス鋼コア変圧器カーネルのコイル内で発生する熱を効率的に除去する手段および方法をさらに提供する。
【００５３】
したがって、本発明はまた、円形コア変圧器カーネルの長方形コイル内に短絡時力を効率的に維持する手段および方法をさらに提供する。
したがって、本発明はまた、コイル枠上に導体を効率的に巻回し、リード線端子を作り配置する手段および方法をさらに提供する。
【００５４】
したがって、本発明はまた、変圧器カーネルのコイルの周りに円形コアを形成するために、アモルファス鋼ストリップを効率的にロールアップする手段および方法をさらに提供する。
【００５５】
したがって、本発明はまた、コイル配置構成のリムの周りに搭載された円形コアの回転および不動化を可能にする手段および方法をさらに提供する。
したがって、本発明はまた、長円格納容器またはタンク内に効率的に閉囲されることができる変圧器カーネルをさらに提供する。
【００５６】
図１は、単相円形アンカットコアのコア型変圧器カーネルの基本的な幾何学的構成を示す。その幾何学的構成は、２つの長方形コイル配置構成３と絡み合わされた１つの円形コア１を備える。好ましくは、コイル−コア配置構成は、円形コア中心軸が垂直位置にある状態で存在する。各長方形コイル配置構成３は、内側１次サブコイル５および外側２次サブコイル７を備える。２つの長方形コイル配置構成３は、背中合わせに位置決めされて、磁気円形コア１がその周りを取り巻く円形状の１つの共通中央リムを有する２重コイル配置構成を形成する。したがって、各コイル配置構成３は、半ディスクに嵌合する断面を有するリムを有する。
【００５７】
図２は、コア窓を通過する２つのコイル配置構成３の一方からのリムの切断図を示す。リムは、好ましくはプレスボード、エポキシ、繊維強化エポキシ、ファイバーガラス、複合材料などの成形可能な誘電体強化材料でできた支持枠９を備える。支持枠９の外側壁１１は孤形状を有する。支持枠９の内側壁１３は、１次サブコイル５の小さな導体１５の列を収容する窪みを提供するために一連の段差８で配列される。各導体１５は、電気コイルの１つのコイル状ループを示し、第１のコイル状ループは、窪みの最も深い部分で巻回され、最後のコイル状ループは、コイルの上部で巻回される。内側壁１３および外側壁１１に沿う厚さは、コア１と１次サブコイル導体１５との間に適切な誘電体絶縁を提供するように決定される。１次サブコイル５の各コイル状ループからの導体１５は、列間の絶縁を提供するために、紙、エポキシコーティング紙、またはポリアラミドなどの材料の薄い電気絶縁層１７によって好ましくは分離された列で配列される。各導体１５は、ワニスなどの薄い電気絶縁被膜で覆われて、隣接する導体間の適切な電気絶縁を提供する。支持枠９の内側窪み壁１３の底中央部分は、平坦で、第１の列の導体１５を支持する。複数の列の導体１５が、その後、積重ねられ、好ましくは薄い誘電体層１７で分離されて、サブコイル導体の列を形成する。各列内の配列される導体の最大数は、コア１と導体１５との間に適切な誘電体絶縁を提供する内側壁１３および外側壁１１に沿う厚さによって決定される。内側壁１３の段差８は、中央底平坦部分の両側で整列して、薄い絶縁層１７が対応する列幅を有する状態で、それぞれのさらなる導体の列を収容する。列のそれぞれの薄い絶縁層１７は、好ましくはコア窓の外側に配置される重ね合わせ厚さを制限するために、薄いストリップの少数のコイル状ループを巻回し積重ねることによって生成されうる。各段差８の高さは、段差に面する各列の高さの和に等しい。導体の最後の列の上部には、厚い電気絶縁列１９が存在し、電気絶縁列１９は、好ましくは、紙、エポキシコーティング紙、またはポリアラミドなどの薄い絶縁ストリップのいくつかのコイル状ループで作られ、また、支持枠にわたって両側に延在する。厚い誘電体列１９と支持枠９の面２１との間の接合部は、トラッキング経路を示し、両方の材料の誘電強度より低い誘電強度をもたらす。したがって、導体１５の上部列と支持枠外側壁１１の縁部との間に、確実なトラッキング距離が提供される。好ましくは紙、エポキシコーティング紙、またはポリアラミドで作られ、また、導体ストリップ２７よりわずかに広い、薄い絶縁ストリップに隣接した導体ストリップ２７は、厚い絶縁列１９の上でピギーバックで同時にコイル化され、各ループは、１つの広い導体ストリップで作られる。導体ストリップの幅は、支持枠外側壁１１の縁部との確実なトラッキング距離を維持するように選択される。図２に示す、支持枠、サブコイル、および絶縁列の部分は、半ディスク形状に嵌合ように配列される。コイル枠の外側壁１１の孤形状は、コア支持マンドレル３１の内径以下の径を有するように選択される。支持枠９の外側壁１１の孤形状の上の中間点３６と２次コイルの最後のコイル状ループの上部の中間点３３との間の高さは、リムと、コア１を支持するマンドレル３１の内側壁との間のギャップ３５を生成するために、コア支持マンドレル３１の内径よりわずかに小さい。このギャップ３５は、マンドレル３１を有するコア１が、矢印で示すように自由に回転することを可能にする。本発明の支持枠によって、導体のループは、隣接する列間に絶縁ストリップのコイル状ループを持った状態で、積重ねた列になるよう効率的にコイル化されうる。
【００５８】
図３を参照して、円形コアの窓開口内に背中合わせに位置決めされた２つのコイル配置構成の２つの半ディスクリムが示される（コアの外側のコイル部分は示さない）。２つの背中合わせのリムは、円形コア１を形成するため、マンドレル上に、インラインアニールされたアモルファス合金リボンをロールアップすることができるように、マンドレル３１が自由に回転することを可能にするギャップ３５を生成するために互いに対してよりかかる。
【００５９】
ここで図４を参照して、ここでは絶縁スペーサ３７によって分離された２つのコイル配置構成の２つの半ディスクリムに関してコアの中央部分の拡大図が示される。２つのコイル配置構成の半ディスクリムは、分離され、それぞれが中間点３６でコアマンドレル３１の内側壁によりかかることによって不動化される。絶縁スペーサ３７は、２つの背中合わせのコイル配置構成の間に設置されて、ギャップが維持され、導体を冷却するためにオイルが流れる開口ダクト３９が生成される。２次コイルの両側でダクトを形成する２つの開口４１はまた、コイルを冷却するためにオイルが流れるために利用可能である。好ましくは、円形コアは、煙突効果によってダクト内の対流するオイルの流れを可能にするために、その中心軸が垂直位置にある状態で、変圧器タンク内に存在する。好ましくは、コア−コイル配置構成の下および上の入口および出口開口は、冷却されたオイルが下から入り、加熱されたオイルが上から出るためにタンク内の変圧器カーネルのために設けられる。したがって、コア窓内の導体内で生成される熱は、成形された冷却用ダクトを通して効率的に取出される。
【００６０】
列が積重ねられるときに幅を増加させながら、列内で導体をコイル化することは、コイル状導体を１つの列から次の列へ経路指定しなければならないという問題をもたらす。図５を参照して、異なる配置構成の段差を有する支持枠およびコイル化方法の本発明による１つの好ましい実施形態が示される。導体の第１の列は、開始場所２３から、第１の列の右端から左端へコイル化され、次に、列の端の湾曲した矢印で示す上の次の列に切換わる。導体は、次に、対応する列の左端から右端へコイル化され、次に、上の次の列に切換わる。このコイル化方法は、導体を新しい列レベルまで持ち上げることによって導体のコイル化が開始できる前に、上の次の幅広の列の開始端の下に導体を持ってくるために、一部の列の端に支持枠内の自由通路を必要とする。必要とされるとき、絶縁材料の狭いストリップ２８が、列の端に付加されて、ある列の最初のコイル状ループと上の次の列の最後のコイル状ループとの間に確実なトラッキング距離が提供されることができ、隣接するコイル状列の２つの導体間の電圧が最大になる。
【００６１】
ここで図６を参照して、コイル状導体を１つの列から次の列に経路指定するために支持枠内に自由通路を必要としない異なる配置構成の段差を有する支持枠の本発明の別の好ましい実施形態が示される。導体の第１の列は、開始場所２４から、第１の列の右端において左端へコイル化され、次に、整列した列の端で湾曲した矢印で示す上の次の列に垂直に切換わる。導体は、次に、左端から、開始コイル化場所２４を超えて延在する右端へコイル化され、次に、延在する列の端で湾曲した矢印で示す、コイル化される上の次の列に垂直に切換わる。必要とされるとき、絶縁材料の狭いストリップ２８が、列の端に付加されて、ある列の最初のコイル状ループと上の次の列の最後のコイル状ループとの間に確実なトラッキング距離が提供されることができ、隣接するコイル状列の２つの導体間の電圧が最大になる。
【００６２】
図７は、２つの低電圧出力を有する単相変圧器のサブコイル間の相互接続配置構成を示す概略の電気回路図である。高電圧１次コイル４３は、直列接続された２つのサブコイルＨＶａおよびＨＶｂを備える。２つの低電圧２次コイル４５、ＬＶ１およびＬＶ２は、それぞれ、直列接続された２つのサブコイルＬＶ１ａ、ＬＶ２ａおよびＬＶ１ｂ、ＬＶ２ｂを備える。電圧点Ｖ１〜Ｖ８は、コイルの各リード線端子における電圧の値を示す。通常、単相変圧器（１４．４ｋＶ−１２０／２４０Ｖの場合のように）において、電圧点Ｖ１およびＶ４は電気接地電圧基準に接続され、電圧点Ｖ３は、１次側の高電圧であり、電圧点Ｖ６、Ｖ８は、２次出力の２つの低電圧である。図において、Ｖ２、Ｖ５、およびＶ７は、２つのサブコイル間の中間電圧点である。
【００６３】
図８を参照して、図７に示す各サブコイルは、導体のループの群に連結される。各コイル配置構成３は、高電圧サブコイル（ＨＶａまたはＨＶｂ）および各２次コイルから１組の２つの低電圧サブコイル（ＬＶ１ａ／ＬＶ２ｂまたはＬＶ１ｂ／ＬＶ２ａ）を備える。両方のコイル配置構成３上の２次サブコイルの配電は、負荷不平衡の場合に両方のコイル配置構成３の電流の均衡を維持する（インタレースされた２次コイル）。図８に示す各サブコイルにおいて、サブコイルの両端に２つのリード線が存在し、２つのリード線はそれぞれ、サブコイルの導体の第１と最後のコイル状ループにそれぞれ経路指定される。各リード線は、図７の電圧点Ｖ１〜Ｖ８に接続される。好ましくは、各リード線は、コア窓の外側に配置されたリムの一方のリム上の場所でサブコイルを出る。同様に、１次サブコイルのリード線に電圧点を帰することは、１次サブコイルとコアマンドレル３１との間のコイル枠の誘電体厚さに影響を及ぼすことになる。好ましくは、図８において、コアマンドレル３１は、絶縁材料で作られ、コア１は、接地電圧基準に接続される変圧器タンクに電気接続される。したがって、１次サブコイルとコアとの間の誘電体厚さは、コイル枠およびマンドレル厚さを含む。図８に示す電圧点Ｖ１〜Ｖ８へのリード線の接続は、好ましい実施形態を示す。
【００６４】
図７の図を使用し、また、図８を参照して、好ましくは、ＨＶａサブコイルの導体ループ５１から延在するリード線は、点Ｖ３に接続される。点Ｖ３が最も高い電圧に対応するため、ＨＶａの底部列に面する場所４７における支持枠の誘電体部分が最大厚さを好ましくは有する。次に、ＨＶａおよびＨＶｂサブコイルの導体ループ５３および５５から延在するリード線は、点Ｖ２に接続される。それぞれのサブコイルＨＶａおよびＨＶｂからのどのリード線対が点Ｖ２に接続されるかを選択することによって２次コイルに出力される電圧を調整するためのタップ選択器への接続を可能にするために、２つ以上のリード線が、サブコイルＨＶａおよびＨＶｂ内の導体のループの最後のコイル状列上に設けられうる。電圧点Ｖ２が、Ｖ３の約半分であるため、ＨＶａサブコイルとＬＶ２ｂサブコイルとの間、また、ＨＶｂサブコイルとＬＶ１ｂサブコイルとの間の絶縁層１９の厚さは、相応して設定される。次に、ＨＶｂサブコイルの導体ループ５７から延在するリード線が、点Ｖ１に接続される。電圧点Ｖ１がＶ３より低いため、ＨＶｂの上部列に面する場所４９における支持枠の誘電体部分は、領域４７と比較して、小さな厚さでありうる。本発明の１次コイル配置構成によって、高電圧インパルス試験に耐えるための適切な電圧絶縁が、導体ループとコアとの間に設けられる。
【００６５】
ここで、２次サブコイルの場合、好ましくは、ＬＶ２ｂおよびＬＶ１ｂサブコイルの導体ループ５９および６１から延在するリード線は、点Ｖ８およびＶ６にそれぞれ接続される。次に、ＬＶ１ａおよびＬＶ１ｂサブコイルの導体ループ６７および６５から延在するリード線は、点Ｖ５に接続され、これらのサブコイルを直列に接続する。さらに、ＬＶ２ａおよびＬＶ２ｂサブコイルの導体ループ６９および６３から延在するリード線は、点Ｖ７に接続され、同様にこれらのサブコイルを直列に接続する。最後に、ＬＶ２ａおよびＬＶ１ａサブコイルの導体ループ７１および７３から延在するリード線は、点Ｖ４に接続される。こうして、図１に示す各コイル配置構成３の最後の外側のコイル状導体ループの導体は、Ｖ４が通常接地電圧基準に接続されるため、最も低い電圧にあることになる（これは、一般に、配電変圧器の１２０／２４０Ｖの２次コイルの場合である）。変圧器が１つの２次コイルだけを有する場合、直列接続された２つの２次サブコイルだけが存在することになり、コイル配置構成３について１つの２次サブコイルが存在する。本発明の導体配置構成によって、高電圧インパルス試験に耐えるための適切な電圧絶縁が設けられる。
【００６６】
ここで図９を参照して、コア窓開口の外側に配置される２つのコイル配置構成３の上および底の水平部分の断面が示される。支持枠の断面の輪郭は、窓開口の円形状によって制限されない。図９では、支持枠９の壁は、より強力な機械構造的支持を提供するための要件に最適に合う形状をとるために、厚く作られうる。しかし、コア１の存在のために、当面の空間的制限が存在する。図１に示すコイル配置構成の上および底の水平部分の場合、図９に示す支持枠の底部境界７５は、円形コア縁部の平坦表面７６を明確にするために直線に限定される。コイル配置構成の低い水平部分の場合、直線境界が、コアを支持するための平坦表面を作るために効率的に使用されうる。ここで図１０を参照して、コア窓開口の外側に配置される２つのコイル配置構成３の垂直部分の断面が示される。支持枠の底部分はまた、直線境界７２を有しうる、または、円形コア１の外径を明確にする必要があるため、湾曲形状７７を採用するように延長されうる。図９および図１０の側面境界について、当面の空間制限は存在しない。コア窓開口の外側に配置される支持枠の部分について、好ましくは、側面境界７９は、支持枠厚を増加させる形状を有する。図９および図１０では、２つの側面境界７９は、直線でかつ平行である。
【００６７】
図１１は、図５、図９、および図１０に示す断面輪郭を使用して押出されたリムを有する支持枠の斜視図を示す。リム８７は、図５の断面の輪郭に従って押出され、リム８３および８５は、図９に示す断面の輪郭に従って押出される。リム８９に関しては、リム８９は、図１０の直線境界７２を使用して押出される。４つ全てのリムについて、支持枠の窪んだ部分の壁１３は、図５の段差８の構成に基づいて押出される。４つのリムは全て、好ましくは、コアを通すための長方形窓開口を提供するために、直線である。各角において、支持枠の輪郭は、リムからリムへの各導体列のスムーズな移行のために湾曲形状８１で配列された一連の段差を提供するための、リムが接する内側角の周りに回転する押出し部である。全体的に、示す支持枠は、コア窓の外側で搭載式Ｕ状梁の形態をとり、また、コイルおよびコアを支持するための強固な構造的完全性を提供する配置構成である。支持枠の強固な構造的完全性は、長方形状コイルによって加えられるフープ応力からの強い短絡時力に効率的に耐えることになる。構造的完全性を失うことなく重量を減らすために、開口（示さず）が、材料内の所定の領域内で実現されうる。これらの開口は、導体を冷却するために、１次コイルの外部セクションをオイルにさらすことができる。１次サブコイルの導体ループ１５の１つの列から次の列への切換え、各列の上へのコイル化される各絶縁層１７の重ね合わせ、ならびに１次および２次サブコイル用の出力リード線は、コア窓開口の外側に位置するコイル配置構成の３つのリムのうちの１つのリム上に全て配置される。
【００６８】
絶縁層１７の上で列の導体１５をコイル化するとき、コイル化中に導体に加えられる引張応力は、支持枠の湾曲形状８１の各角において、下の列に内側圧力を加える。ここで図１２を参照して、１次サブコイルが丸い導体でコイル化される場合、コイル化される導体は、当然、下の列の２つの並んだ導体間に配置されるボイドによる変形によって絶縁層上に現れる小さな窪み上に自分自身を位置決めすることになる。この変形のため、隣接する列の２つの導体間の高さが、導体コイル化引張応力および角を曲がるときのコイル化導体の曲げ半径の逆数に依存するε値だけ小さくなる。このε値は、図１２に示すように、角の湾曲形状８１に沿う中間点で各列についてその最大に達することになる。したがって、段差高さ８は、湾曲形状８１の両端から徐々に減少して、支持枠の各角の湾曲形状８１に沿う中間点でε値だけ減少した最小高さに達する。角の各段差についてのε値は、段差に面する列の数、導体をコイル化するときに加えられる引張応力、および角を回るときに導体に適用される曲げ半径に依存する。これは、設けられる段差に従って支持枠の窪み部分内への各列の適切な充填を保証し、支持枠の効率的なコイル化を可能にする。
【００６９】
図１３を参照して、支持枠は、さらに、角１１８の周りで屈曲（bend）しながら、段差９９の縁部に接する列の最後のコイル化導体が、上側段差１０１の縁部に接する上側列に切換わることを可能にするために、列間に自由通路９７を備える。２つのコイルリード線を支持枠から出すために、２つの穴９３および９４が、支持枠の一方の面上に穿孔され、一方の穴は、第１の列のコイル化を始めるために、窪んだ部分の平坦表面に整列し、他の穴は、最後のコイル化列に整列する。絶縁管９５および９６が、支持枠から遠くにコイルリード線を誘導するために付加されることができるため、絶縁可撓性スリーブが、各リード線上を摺動され、出口管の周りでストラップ留めされることができ、それにより、コイルの外側でのリード線の周りの絶縁が増大される。あるいは、最後のコイル化列上のリード線は、絶縁紙スリーブを通してコイル枠縁部８６と絶縁層１９との間に出ることができる。図１４を参照して、支持枠の上部の縁部８６は、コイルリード線が出るための空間を提供するために、導体の最後の列を覆って延在しうる。出口側の支持枠縁部は、被覆したリード線が外に出ることを可能にするために少なくとも１つの横断スロット１０８を備えることになる。タップ選択器への接続を可能にするために、２つ以上の被覆リード線がコイル上に必要とされる場合、より多くのスロットが設けられうる。
【００７０】
図１に示す２次サブコイル７は、変圧器タンク内でのオイル対流冷却に利用可能なかなりの外側表面部分を有する。これは、コア窓開口内に配置される部分を含む。しかし、１次コイルの場合、熱は、２次コイルおよび支持枠を介して排出される。１次コイルのさらなる冷却能力は、導体１５の列間に冷却用ダクトを導入することによって付加されうる。再度図１０を参照して、支持枠は、両側に開口１０３、１０４を備え、横断絶縁スペーサ１０５が、導体１５の２つの列間に挿入されて、導体を冷却するためにオイルが流れるためのスペーサ間の開口ダクトが生成される。図１５は、冷却ダクトの斜視図を示す。スペーサ１０５は、支持枠のリム１０７の窪んだ部分内に付加され、上向きオイル循環ダクトを生成するために傾斜される。スペーサ用の空間を作るために、スペーサの両側の段差８の高さが増加される。２つのランプアップスペーサ１１３および１１４もまた、導体の上昇をスムーズにするために使用されうる。スペーサ１０５が傾斜されて、ダクト内でのオイルの流れが、煙突効果によって誘発される。オイルは、開口１０３を介して入り、支持枠の他の側で開口１０４を介して出る。スペーサ１０５はまた、図１６および図１７に示すように水平に設置されうる。この場合、さらなる垂直ダクト１０９および１１１が、煙突効果を生成するために支持枠の両側に付加される。各ダクトは、オイルが出入りするための開口を有する。タンクの底部から入るオイルは、垂直ダクト１１１によって上に誘導され、開口１０３に入り、コイルを通して流れ、開口１０４を通して流れ、垂直ダクト１０９によって収集されて、上部で出る。同じ垂直ダクトが、傾斜スペーサと共に付加されて、煙突効果、したがって、よりよい冷却のためのオイルの流れを増加しうる。ダクトを設けることによって、導体自体の高い熱伝導率を使用して、熱をダクトの場所まで運び出すことによって、コア窓開口内に配置される１次コイルの導体から熱が排出されうる。別の好ましい実施形態では、流れるオイルが、支持枠の窪んだ部分に面する１次サブコイルの内側表面を冷却することを可能にすることになる、図１０および図１１に示す冷却ダクト１０６を作るために、一方の開口１０３から他の面の開口１０４まで支持枠の窪んだ部分内段差を横断して溝加工することによって、さらなる冷却ダクトが設けられうる。さらに、これらのダクト１０６は、上向きのオイル循環ダクトを作るために傾斜されうる。図９、図１３、および図１４を参照して、支持枠の窪んだ部分の平坦底表面から開口１１０まで一方の側だけ段差を溝加工し、かつ、他の側を貫通する水平開口１０２であって、窪んだ部分の平坦底表面に整列する、水平開口１０２を設けることによって、支持枠の上および底の水平部分にさらなる冷却が提供されうる。両方の開口１０２および１１０を有するスロット９８は、煙突効果によってオイルの対流の流れを生成するための上向き冷却ダクトを提供することになる。
【００７１】
再度図１１を参照して、本発明の支持枠は、さらに、弧状リム８７の近くで、支持枠の両側の上および底に配置された突出部分８４を備える。これらの突出部分８４は、弧状リム８７の縁部に垂直に整列する開口８８を備える。図１８は、絶縁ワッシャー１１７およびナット１１９を有するネジ付き絶縁ロッド１１５などの取付け手段を調整することによって、背中合わせに組立てられた２つの支持枠を示す。取付け手段のこうした調整は、両方の支持枠を共に固定して、ユニークな剛性構造を形成するために使用される。ロッド上にナットを位置決めすることは、２つの枠間の距離の調整を可能にする。さらに、支持枠は、組立てられた枠が、平坦ベースによりかかることを可能にするために、両側に配置された少なくとも２つの突出部分９４を備える。さらに、支持枠は、組立体の持上げおよび操作を容易にするボラードを提供するために、両側に配置された少なくとも２つの突出部分９０を装備する。
【００７２】
本発明の支持枠は、変圧器タンク内に背中合わせ支持枠を固定する手段を備える。図１９を参照して、各支持枠は、支持枠の両側の底部に配置された突出部分１１７を備える。これらの突出部分１１７は、ベース平面上に固着されたネジ付き隆起ロッドにねじ込まれるナットによって、組立てられた支持枠をベースに固定するためのベース平面１２１と垂直に整列される開口を備える。図２０に示す別の好ましい実施形態では、取付けストラップ１２３は、それぞれ、一端をボラード９０の周りに巻付け、他端を、ベースに固着されたネジ付きロッドにワッシャーとナットで引張り繋ぎ留めることによって、支持枠をベース平面に固定する。ストラップ１２３を使用するこれらの取付け手段は、支持枠の上部分を下に引張ることによって支持枠を保持するという利点を有する。通常、ベース平面は、隆起ネジ付きロッドが溶接によってその上に固着される変圧器タンクの内部底表面である。しかし、タンクの底表面がわずかに凸状である可能性があるため、支持枠が適切によりかかるための一様な平坦表面を提供することが難しい場合がある。本発明は、図２１に示すように、枠組立体を支持する平らにされた剛性表面１２７および支持枠取付け手段を繋ぎ留めるためのボルトを保持するための開口１２９を提供するために、アングルカットされ共に溶接された金属で基本的に構成されるベース枠１２５を備える。ベース枠はまた、ベース枠の下に形成され、タンク底部でベース枠を固定するための溶接点として使用されるニップル１３１を備える。図１９および図２０の両方の取付け手段用のベース枠１２５が示される。示す取付け手段および繋ぎ留め手段によって、２つの背中合わせ支持枠は、タンクの底部にしっかりと固定される１つの剛性構造を形成する。２つの支持枠は、コイルおよびコアに機械的応力を伝達することなく、タンク内でコイルおよびコアを支持するという利点を提供する。
【００７３】
ここで図２２を参照して、２部分組立体でできた支持枠が示される。両方の部分１３４および１３６は、第１の半分の支持枠１３４の雄部分１３３を第２の半分の支持枠１３６の雌部分１３５に挿入することによって共に嵌合される。この嵌合結合は、２つの半分が組立てられると、結合部の近くで、絶縁厚より少なくとも３倍優れたトラッキング経路を提供する。枠材料に適合する適切なバインダーが、結合部において２つの部分を共に融着するために使用されうる。したがって、２部分枠組立体１３４および１３６はそれぞれ、２部分モールドを使用して低コストで連続して生産され、その後、開口８８などの開口が、単に穿孔される。
【００７４】
支持枠の説明が終了して、以下の説明は、１次および２次のサブコイルがどのように支持枠に巻回されるか、また、２つのコイル化支持枠が、変圧器コイルを提供するためにどのように組立てられるか、また、インラインアニールされたアモルファス金属リボンが、その後、コアを形成するためにコイルの周りでマンドレル上にどのようにロールアップされるかを述べる。本発明のコイル配置構成およびリボンのローリングは、完全自動化方法で組立てられうる。
【００７５】
図２３は、コイル配置構成を組立てるために使用される手段の略図を示す。空の支持枠９が、サーボモータドライブによって駆動されるマンドレル上に搭載される。回転枠の周りには、異なる材料のフィーダが配置され、そのフィーダは、導体ワイヤを含むリール１９１と、支持枠内の各列に嵌合する、異なる幅を有する絶縁ストリップ１９２をそれぞれ含む複数のリールと、ダクトスペーサを含むカセット１９３と、導体ストリップ１９４を含むリールと、導体ストリップよりわずかに大きい絶縁ストリップ１９５を含むリールとを備える。各材料フィーダは、回転支持枠９上で材料を取込み、材料に係合し、材料を巻回し、材料を切断するロボットマニピュレーティングアームおよび切断アクチュエータを備える。好ましくは、各リール１９１、１９４、および１９５は、継ぎ目を作ることを回避し、スクラップを最小に維持するために、整数（integer number）の支持枠９を巻回するのに十分な材料を含む。絶縁ストリップ１９２は、必要とされる長さで絶縁ストリップ１９２を脆くするために、部分的に予め切断され、ロールからストリップを自由にするために、小さな突然の引張力を必要とするだけである。
【００７６】
図１８に示す組立てられた支持枠において、左コイルおよび右コイルの支持枠１９９および２００が存在する。やはり図２３を参照して、左コイルまたは右コイルの支持枠上で１次サブコイルをコイル化するために、導体ワイヤは、最初に、ロボットマニピュレーティングアームによって取込まれ、支持枠の一方の側の第１の底部列と整列した出口開口１９７を通して誘導される。導体は、その後、第１の列を充填するために、単一層上に所定数のターンで巻回される。次の列にワイヤを係合させる前に、対応する列幅を有する絶縁ストリップ１９２のセグメントが、枠に巻回されて、導体ワイヤで次の列をコイル化し始める前に、両方の末端が互いに重なり合う状態で第１の列が完全に覆われる。ダクトが、２つの所定の列の間で予定される場合、スペーサ１９３が、カセットから抜取られ、支持枠の指定されたリム上に設置される。これらのスペーサは、設置を容易にするために、絶縁ストリップに予め接着されうる。最後の列がコイル化されると、ワイヤは、切断され、出口開口１９８を通して出るように誘導される。出口開口１９８は、列に整列し、支持枠上で出口開口１９７と同じ側に出る。図２４は、１次サブコイルが、タップ選択器への最終的な接続のための、最後のコイル化列上の複数の引出しリード線を備える場合を示す。最後の列がコイル化される間、突出導体ループ１４１が、所定のターン数で形成される。各ループ１４１は、撚り合わされてリード線１４２が形成され、リード線１４２は、次に、絶縁スリーブで被覆され、コイル支持枠の面上に、好ましくは図１４に示すスロット１０８内に屈曲される。１次サブコイルは、その後、完成され、いずれが巻回されても、左コイルまたは右コイルの配置構成に関連する支持枠の面上に引出しリード線を有する。次のステップは、２次サブコイルの巻回である。
【００７７】
２次サブコイルの巻回は、全体が長方形の形状の１次サブコイル上に絶縁ストリップと導体ストリップの両方を巻回することからなる。導体ストリップを巻回するとき、コイルに対する電気接続を提供するために、導体ストリップの末端に、横断引出しリード線が設けられなければならない。導体のストリップセグメントは、直角出口を形成するために、ストリップの両端で垂直に溶接されうる。本発明では、ロボットマニピュレーティングアームは、ストリップ１９４の末端を折り曲げ整形する手段を含む。図２５のシーケンスＡ〜Ｅは、１次サブコイル上にピギーバックで１つの２次サブコイルを形成するために、絶縁ストリップ１９５と並べて導体ストリップ１９４を折り曲げ巻回するのに必要とされるステップを略図で示す。各シーケンスの図面の左部分は、正面視からの支持枠を示す右の図面に対して、時計方向に回転する支持枠上に到着する導体箔および絶縁ストリップによって支持枠が巻回される平面図を示す。右の「正面視（front view）」図面上の破線は、支持枠の後に隠された要素を示す。図面のシーケンスは、左コイル配置構成の巻回を示す。右コイル配置構成の場合、折り曲げプロシージャの差は、破線で示され、識別子は、さらなる上付きマーク（'）を含む。シーケンスＡで始めて、導体ストリップ１９４の巻回を始める前に、絶縁ストリップ１９５によって複数のターンを巻回することによって、厚い絶縁層１９が構築される。所望の誘電体厚が得られると、導体ストリップ１９４のリード線は、折り曲げ線２０１に沿って、１次サブコイルリード線１９７および１９８の場所と反対側に、ロボットマニピュレーティングアームによって１回折り曲げられて、コイルを横断し延在するリード線２０２が作られる。そして、リード線の長さは、さらなる上への折り曲げによる変圧器タンクブッシングへの接続または別のコイルの引出しリード線への接続を可能にするのに十分に長くなければならない。示す折り曲げ線は、１５°と７５°との間の角度を有することができ、支持枠の面に対して３０°〜１５０°の出口角度でリード線を提供することになる。角度のこうした遊び（play）は、上に折り曲げたリード線ストリップを、丸いまたは長円の変圧器タンクの湾曲壁に取付けられたブッシングに整列させるために実用的でありうる。説明のために、ストリップは、４５°折り曲げ線に沿って折り曲げられる。シーケンスＢにおいて、ストリップ１９４の折り曲げ線２０１は、引出しリード線１９７および１９８が配置される支持枠リムの上部にもたらされる。導体ストリップ１９４と絶縁ストリップ１９５は共に、適切なターン数について同時に巻回される。シーケンスＣにおいて、導体箔１９４は、切断され、終端が、１次サブコイルリード線１９７および１９８の場所の反対側に、２つの４５°折り曲げ線２０３および２０４（２０４'）に沿って２回折り曲げられて、コイルに平行に延在し、かつ、巻回されるストリップの移動方向と同じ方向（右コイルの場合、反対方向）に配向するリード線２０５（２０５'）が提供される。ストリップ１９４上の折り曲げ線２０３の場所は、シーケンスＤに示すように引出しリード線１９７および１９８が配置される支持枠のリムの上部に到着するように選択された���２次サブコイルの巻回は、その後完成される。コイル配置構成の巻回を終了するために、絶縁ストリップ１９５の少数のターンが巻回される。シーケンスＥおよびＥ'は、完成した左コイルおよび右コイルの配置構成を示す。
【００７８】
図２６のシーケンスＡ〜Ｊは、１次サブコイル上にピギーバックで２つの２次サブコイルを形成するために、絶縁ストリップ１９５と共に導体ストリップ１９４を折り曲げ巻回するのに必要とされるステップを略図で示す。図面のシーケンスは、左コイル配置構成の巻回を示す。右コイル配置構成の場合、折り曲げプロシージャの差はまた、破線で示され、識別子は、さらなる上付きマーク（'）を含む。導体ストリップ１９４の巻回を始める前に、絶縁ストリップ１９５によって複数のターンを巻回することによって、厚い絶縁層１９が構築される。所望の誘電体厚が得られると、導体ストリップ１９４のリード線は、４５°折り曲げ線１５０に沿って、１次サブコイルリード線１９７および１９８の場所と反対側に、ロボットマニピュレーティングアームによって１回折り曲げられて、コイルに垂直に延在するリード線１５２が作られる。シーケンスＢにおいて、ストリップ１９４の折り曲げ線１５０は、引出しリード線１９７および１９８が配置される支持枠リムの上部にもたらされる。導体ストリップ１９４と絶縁ストリップ１９５は共に、適切なターン数について同時に巻回される。シーケンスＣにおいて、導体箔１９４は、切断され、終端が、１次サブコイルリード線１９７および１９８の場所の同じ側（右コイルの場合、反対側）に、２つの４５°折り曲げ線１５４（１５４'）および１５５（１５５'）に沿って２回折り曲げられて、コイルに平行に延在し、かつ、ストリップの移動方向に対して反対方向（右コイルの場合、同じ方向）に配向するリード線１５６（１５６'）が提供される。ストリップ１９４上の折り曲げ線１５４（１５４'）の場所は、シーケンスＤに示すように引出しリード線１９７および１９８が配置される支持枠のリムと対向する支持枠のリムの上部に到着するように選択された。その後、絶縁ストリップ１９５の少数のターンが、巻回されて、第１の２次サブコイルが完全に覆われ、第１の２次サブコイルの巻回は、シーケンスＥに示すように、ここで完成する。次に、シーケンスＦにおいて、導体ストリップが、ここで他の側から給送され、支持枠が、ここで反時計方向に回転する状態で、導体ストリップ１９４の端部が、１次サブコイルリード線１９７および１９８に対して反対側（右コイルの場合、同じ側）に、２つの４５°折り曲げ線１５７（１５７'）および１５８（１５８'）に沿って２回折り曲げられて、平行に延在し、かつ、ストリップの移動方向に対して同じ方向（右コイルの場合、反対方向）に配向するリード線１５９（１５９'）が提供される。シーケンスＣにおける最初の折り曲げは、１次サブコイルリード線１９７および１９８に対して反対側（右コイルの場合、同じ側）で行われている可能性があり、その場合、シーケンスＦにおける最初の折り曲げは、１次サブコイルリード線１９７および１９８に対して同じ側（右コイルの場合、反対側）で行われることになる。シーケンスＧにおいて、ストリップ１９４の折り曲げ線１５７（１５７'）は、引出しリード線１９７および１９８が配置されるリムに対向する支持枠リム上にもたらされる。導体ストリップ１９４と絶縁ストリップ１９５は共に、適切なターン数について同時に巻回される。シーケンスＨにおいて、導体箔１９４は、切断され、終端が、１次サブコイルリード線１９７および１９８の反対側に、２つの４５°折り曲げ線１６０および１６１（１６１'）に沿って２回折り曲げられて、平行に延在し、かつ、ストリップの移動方向に対して反対方向（右コイルの場合、同じ方向）に配向するリード線１６２（１６２'）が提供される。ストリップ１９４上の折り曲げ線１６０の場所は、シーケンスＩに示すように引出しリード線１９７および１９８が配置される支持枠のリムの上部に到着するように選択された。第２の２次サブコイルの巻回は、その後完成される。コイル配置構成の巻回を終了するために、絶縁ストリップ１９５の少数の余分なターンが巻回される。シーケンスＪおよびＪ'は、完成した左コイルおよび右コイルの配置構成を示す。
【００７９】
図２７のシーケンスＡ〜Ｆは、変圧器カーネルを生産するためにコア−コイル配置構成をどのように組立てるかに関するステップを示す。最初に、シーケンスＡにおいて、２つのコイル配置構成（１つの左コイルおよび１つの右コイル）は、リード線１５６と１５６'、１５９と１５９'、１６２と１６２'が、その端部を重ね合わせて互いに向かって整列した状態で背中合わせに置かれる。２つのコイル配置構成は、その後、図１８に示す取付け手段を使用して共に固定される。示すシーケンスは、２つの２次サブコイルを備えるコイル配置構成の使用を含む。単一の２次サブコイルの場合、リード線１５６、１５６'、 １５９、および１５９'は存在しない。そして、シーケンスＢにおいて、延性がありかつ切断可能なインラインで湾曲されアニールされた鉄ベースアモルファス金属リボンは、背中合わせのコイル配置構成によって形成された中央円形リムの周りに事前設置されたマンドレル上にロールされて、円形コア１が形成される。シーケンスＣにおいて、コアが完成すると、２つのコイル配置構成は、図４に示すように、円形コア１内の窓開口の内部壁によりかかるように、解除され押し離され、再び共に固定される。スペーサ３７は、その後、２つのコイル配置構成間に挿入され、リード線１６２と１６２'および１９８と１９８'が、溶接点１６３および１６６で共に溶接される。シーケンスＤにおいて、円形コアの下に配置されるリード線１５６と１５６'および１５９と１５９'（逆さま図）はまた、溶接点１６４および１６５で共に溶接される。本発明の円形コア変圧器組立体は、長円タンク内に設置するのに最も適する。シーケンスＥにおいて、コア−コイル配置構成は、３つの低電圧ブッシング２１２、２１３、および２１４を備える変圧器長円タンク内に置かれ、３つの低電圧ブッシングは、その後、上に折り曲げられたリード線１５２、１６２−１６２'、および１５２'にそれぞれ整列され接続される。上カバーブッシング２１５（高電圧）および接地リード線２１６は、リード線１９７および１９７'にそれぞれ接続される。一部のタンクは、代わりに４つの低電圧ブッシングを装備することができ、リード線１６２および１６２''は、共に溶接されるのではなく、むしろそれぞれ、各ブッシングに接続されることになる。コア−コイル配置構成が１つの２次コイルを備えるだけである場合、ブッシング２１３は、存在しないことになる。図２８は、ブッシングが前面にあるタンク内のコア−コイル配置構成の正面図を示す。各リード線１５２、１６２−１６２'、および１５２''は、リード線上に溶接されるか、あるいは、リード線が図２５Ａ〜２５Ｅ'または図２６Ａ〜２６Ｊ'において巻回されるときに、コイルからさらに離れて延在したリード線をさらに折り曲げることによって実現される、上に折り曲げられたストリップセグメントによってブッシングに連結される。
【００８０】
導体箔１９４が、折り曲げられると大き過ぎる、かさばるリード線を生成する場合、巻回シーケンス２５Ａ〜２５Ｅ'または図２６Ａ〜２６Ｊ'は、図２９Ａに示すように、さらなる折り曲げステップを組込むことができる。リード線の幅は、第１の４５°折り曲げが実施されると、さらなる折り曲げが実施される前に、折り曲げ線１６５に沿ってさらなる折り曲げを実施することによって、半分だけ減少する。これは、図２９Ｂに示すように、狭いリード線を有するコイル配置構成を提供することになる。
【００８１】
本発明の配電変圧器はまた、背中合わせコイル配置構成を有するコアを組立てる方法を提供する。図３０Ａ〜３０Ｃは、リボンをロールアップするためのマンドレル組立体を示す。マンドレル組立体は、２つの壁２３０および２３１を備え、それぞれが、所定の内径および厚さの孤形状を有し、アニールされた鉄ベースアモルファス金属リボンの幅に少なくとも等しい高さを両方とも有する。好ましくは、壁２３０は、その２つの端部のそれぞれに、壁２３１の両端に配置された外向きＳ状パターンキャビティ２３３に嵌合することをそれぞれ意図される内向きＳ状パターンキャビティ２３２を備える。２つの壁は、整列され互いに押し付けられると、図３０Ｂに示すように共にスナップ係合し、所与の内径および所与の高さを有する円筒管を形成することになる。マンドレルの壁は、好ましくは、プレスされるかまたは成形された剛性絶縁材料で作られるが、良好な構造的剛性を有するステンレス鋼または任意の非強磁性材料も使用されうる。壁の両端は、２つの壁がスナップ係合すると、フランジを有するマンドレルが形成されるように、半ディスクフランジ１７０を有する。バインダーがまた、２つの壁およびフランジを共に融着するために使用されうる。
【００８２】
図３１を参照して、完成した左コイルおよび右コイル配置構成１９９および２００は、背中合わせに置かれ、ネジ付きロッド１１５、ナット１１９、およびワッシャー１１７によって共に固定される。ナット１１９は、ネジ付きロッド１１５上に位置決めされ、それにより、コイル配置構成が互いに向かって押されると、２つの弧状の背中合わせのリムが、図３に示す円形輪郭内に嵌合し、コイル配置構成が整列する。その後、ナット１１９は、突出部分８４をナット１１９間で圧搾するために締め付けられ、したがって、組立体ごとに一定の幾何学的寸法を有する完全な剛性組立体が生成される。コアを組立てるために、図３２において、２つの壁２３０および２３１が、背中合わせコイル配置構成の中央円形リムの周りに搭載され、図３３に示すように所定場所にスナップ係合するまで、共に押される。所定場所にスナップ係合すると、円筒マンドレルは、２つの背中合わせの弧状リムの円形輪郭の外径よりわずかに大きい内径を有し、その高さは、コイル支持枠窓開口の高さよりわずかに小さく、それにより、マンドレルは、リムの周りに自由に回転することができる。形成されるマンドレル上で、アニールされたアモルファスリボン材料をロールアップするために、背中合わせコイル配置構成が設置され、保持セットアップによって所定位置にあるボラード９０を使用して所定場所に保持される。その後、図３４に示すように、少なくとも３つのローラ２３４（少なくとも１つのローラは小さなフランジ２３６を有する）が、全ての回転軸が円形リム中心軸（Ｘ０，Ｙ０）に平行な状態で、マンドレルフランジ２３７の周縁の周りに位置決めされるためにアクチュエータによってもたらされる。３つの狭いローラ２３４は、リボンのためのマンドレルの中央部分のアクセスを除去するために、マドレルの両側の各フランジ２３７上で使用されうる。ローラ間の角度距離は、マンドレルを回転軸から出ないようにするためにローラが１８０°より大きな角度にわたって局在化される限り、異なりうる。マンドレルの一方の側から他の側へのローラ２３４のフランジ２３６間の内部距離は、支持枠のリム表面の１つのリム表面との摩擦接触を回避するようにその軸位置を維持するために、マンドレルの幅がその間に嵌合することを可能にするのに十分に広い。３つのローラ２３４のそれぞれについてのＸＹ位置は、ＣＰＵによって提供されるコマンドに基づいてアクチュエータによって精密に制御される。マンドレルおよび蓄積するリボンを回転させるために、ローラ２３４の少なくとも１つがモータを付けられる。背中合わせコイル配置構成が、設置され、所定位置で所定場所に保持されるため、ＣＰＵは、円形リム中心軸の位置（Ｘ０，Ｙ０）をわかっている。より高い精度が必要とされる場合、各ローラは、円形リムによりかかるまでマンドレル上で連続して押されることができ、その後、ＣＰＵは、図３５に示すように、対応するＸＹ位置を記録する。記録されるデータおよび各ローラ３２４の半径によって、ＣＰＵは、円形リムの中心位置（Ｘ０，Ｙ０）を計算する。コアが完成すると、ナット１１９が緩められ、ネジ付きロッド１１５上に位置決めされ、それにより、２つのコイル配置構成は、離れるように押される���、図４に示すように、コアマンドレルの内部面によりかかり、整列することになる。コイル枠の２つの水平底部リムの設けられた平坦表面上にコアがよりかかることを可能にし、したがって、コアに対する支持を提供するために、変圧器カーネルを直立位置に配置することが好ましい。その後、ナット１１９は、突出部分８４をナット間で圧搾するために締め付けられ、したがって、完全な剛性変圧器コア−コイル組立体が生成される。その後、スペーサ３７が、２つのコイル配置構成間に挿入され、リード線が共に溶接される。
【００８３】
好ましくは、図３４のリボンローリングプロセスは、途切れないリボン供給を可能にする自動化リボン給送リールスイッチャおよびロールアップ中にリボンの張力を制御するリボンテンショナを含む。リボンの連続供給は、空のリールの付近で充填済みリールを回転させ、充填済みリールのリボン端を、送り出し、空のリールを出るリボンの終端に固着することによって実現されうる。好ましくは、変圧器カーネルのコアを形成するためのリボンの連続的なロールアップは、形成されるコア−コイル配置構成の充填済みマンドレルの付近で、新しいコイル配置構成のマンドレルを回転させ、リボンを切断し、完成した変圧器カーネルが立ち去る間に、入って来るリボン端をマンドレルに固着することによって実現されうる。
【００８４】
図３６〜３８は、本発明に従って組立てられた最終的な変圧器カーネルを示す。絶縁スリーブ２４０が、１次コイル外部リード線の周りに付加されている。絶縁スリーブはまた、必要とされる場合、２次リード線上に設けられうる。しかし、コイルが形成されたときにロボットマニピュレーティングアームによって行われる予備成形される形状は、２次リード線上での絶縁スリーブの使用を回避するのに役立つ。その理由は、コイルが、容易な接続のために、変圧器タンクに嵌合するように、また、タンク低電圧ブッシングに整列するように予備成形されるからである。これは、カーネルをタンクに入れるための労力およびコストを低減することになる。
【００８５】
図３９は、コア（コアは明確にするために示されない）が形成されると、ストラップ２５０によってコイル配置構成の外部リムに当てて保持されるすじかい材２４３および２４４をさらに備えるコア−コイル配置構成を示す。すじかい材２４３は、好ましくは、絶縁材料で作られ、煙突効果によって上に流れる流体を冷却するための２次コイル表面に沿う垂直ダクトを提供することになるスロット２４５を備える。さらなる垂直スロット２４６が、図１７の側面ダクト１０９および１１１を置換するために、対向する上および下の障害物２４７を有するすじかい材内に形成される。これらのダクトは、コイルの表面の近くで増加した流体流を提供することによって冷却効率を増加させる。すじかい材２４４はまた、２次コイルの上部および底部表面の近くでの冷却流体の流れを可能にするためにスロット２４８および開口２４９を含む。すじかい材は、短絡状況下で１次コイルと２次コイルとの間の反発力に耐える変圧器能力を増加させることになる。枠２４３は、支持枠２４４および２４５と共に働いて、各サブコイルに流れる短絡電流によって生じる反発力のために、１次および２次サブコイルが分離しないようにする。
【００８６】
本発明のシステムによって生産される３つ以上のコア−コイル配置構成は、背中合わせでグループ化されて、図４０に示す３相変圧器が生産されうる。
本発明における変圧器カーネルの製造は、完全に自動化され、小さな床空間を占めるコンパクトな組立て機器を使用する変圧器カーネルの大量生産に適合しうる。所与の標準的な効率での変圧器カーネルの大量生産は、カーネルを変圧器組立て業者に提供することになるサブ構成要素製造業者を通して可能になる。変圧器カーネル製造のこうした集中化は、かなりのコアおよびコイル組立て機器、かなりの労力、および、変圧器のコストを増加させる一因になる、各変圧器組立て業者プラントにおいて必要とされるかなりの床空間をなくすことによって、規模の経済をもたらす。図４１を参照して、本発明のシステムによって生産されるコア−コイル配置構成は、ラック２５２上で列にグループ化されることができ、多数のコイル配置構成２５１を含む複数のラック２５２は、変圧器組立て業者への出荷のためにシール式コンテナ２５３内に置かれ、変圧器組立て業者は、タンク、オイル、および他の必要とされる付属品と共に各コア−コイル構成要素を組立てることになる。ラックは、コア−コイル配置構成のグループを支持するための所定の占有領域を有するベース手段２５４およびコア−コイル配置構成のグループを、ベースを用いて固定するための上部手段２５５を備える。コア−コイル配置構成の各ラックは、コンテナの高さを埋めるために積重ねられうる。同様に、コア−コイル配置構成の各ラックは、埃から保護されるために、プラスチックフィルムで包装されうる。したがって、変圧器カーネル製造業者から変圧器組立て業者に変圧器カーネルを大量に出荷するために、効率的な出荷格納容器が設けられる。
【００８７】
図４２を参照して、本発明の変圧器カーネルを閉囲することが可能な長円タンクを備える配電変圧器最終組立体が示される。こうした配電変圧器は、ポール付ブラケットの近くに配置された重心を有することになり、したがって、保持ブラケットに少ない応力をかける。
【００８８】
本発明の好ましい実施形態が、本明細書で詳細に述べられ、添付図面に示されたが、本発明は、これらの正確な実施形態に限定されないこと、および、種々の変更および修正が、本発明の範囲または趣旨から逸脱することなく、実施されることができることが理解される。
【図１】
2013511824.tif 000003
【図２】
2013511824.tif 000004
【図３】
2013511824.tif 000005
【図４】
2013511824.tif 000006
【図５】
2013511824.tif 000007
【図６】
2013511824.tif 000008
【図７】
2013511824.tif 000009
【図８】
2013511824.tif 000010
【図９】
2013511824.tif 000011
【図１０】
2013511824.tif 000012
【図１１】
2013511824.tif 000013
【図１２】
2013511824.tif 000014
【図１３】
2013511824.tif 000015
【図１４】
2013511824.tif 000016
【図１５】
2013511824.tif 000017
【図１６】
2013511824.tif 000018
【図１７】
2013511824.tif 000019
【図１８】
2013511824.tif 000020
【図１９】
2013511824.tif 000021
【図２０】
2013511824.tif 000022
【図２１】
2013511824.tif 000023
【図２２】
2013511824.tif 000024
【図２３】
2013511824.tif 000025
【図２４】
2013511824.tif 000026
【図２５Ａ】
2013511824.tif 000027
【図２５Ｂ】
2013511824.tif 000028
【図２５Ｃ】
2013511824.tif 000029
【図２５Ｄ】
2013511824.tif 000030
【図２５Ｅ】
2013511824.tif 000031
【図２６Ａ】
2013511824.tif 000032
【図２６Ｂ】
2013511824.tif 000033
【図２６Ｃ】
2013511824.tif 000034
【図２６Ｄ】
2013511824.tif 000035
【図２６Ｅ】
2013511824.tif 000036
【図２６Ｆ】
2013511824.tif 000037
【図２６Ｇ】
2013511824.tif 000038
【図２６Ｈ】
2013511824.tif 000039
【図２６Ｉ】
2013511824.tif 000040
【図２６Ｊ】
2013511824.tif 000041
【図２６Ｊ１】
2013511824.tif 000042
【図２７Ａ】
2013511824.tif 000043
【図２７Ｂ】
2013511824.tif 000044
【図２７Ｃ】
2013511824.tif 000045
【図２７Ｄ】
2013511824.tif 000046
【図２７Ｅ】
2013511824.tif 000047
【図２８】
2013511824.tif 000048
【図２９Ａ】
2013511824.tif 000049
【図２９Ｂ】
2013511824.tif 000050
【図３０ａ】
2013511824.tif 000051
【図３０ｂ】
2013511824.tif 000052
【図３０ｃ】
2013511824.tif 000053
【図３１】
2013511824.tif 000054
【図３２】
2013511824.tif 000055
【図３３】
2013511824.tif 000056
【図３４】
2013511824.tif 000057
【図３５】
2013511824.tif 000058
【図３６】
2013511824.tif 000059
【図３７】
2013511824.tif 000060
【図３８】
2013511824.tif 000061
【図３９】
2013511824.tif 000062
【図４０】
2013511824.tif 000063
【図４１】
2013511824.tif 000064
【図４２】
2013511824.tif 000065
【国際調査報告】
2013511824.tif 000066
2013511824.tif 000067